(57)【要約】【課題】積層コンデンサにおいて、低ＥＳＬ化および高ＥＳＲ化の双方を図る。【解決手段】コンデンサ本体８において、第１のコンデンサ部１１と第２のコンデンサ部１２とを積層方向に並ぶように配置しながら、第１のコンデンサ部１１が積層方向での少なくとも一方端に位置するようにし、それによって、実装面２５により近い側に第１のコンデンサ部１１を位置させる。第１のコンデンサ部１１を構成する第１および第２の内部電極１３および１４についての第１および第２の引出し部１７および１８の対の数より、第２のコンデンサ部１２を構成する第３および第４の内部電極１５および１６についての第３および第４の引出し部の対の数を少なくして、第１のコンデンサ部１１が低ＥＳＬ化に寄与するようにしながら、第２のコンデンサ部１２が高ＥＳＲ化に寄与するようにする。【選択図】図２
2007235170.tif 000002
【特許請求の範囲】
【請求項１】
積層された複数の誘電体層をもって構成される積層構造を有するコンデンサ本体を備え、
前記コンデンサ本体は、第１および第２のコンデンサ部を構成していて、
前記第１のコンデンサ部は、静電容量を形成するように所定の前記誘電体層を介して互いに対向する少なくとも１対の第１および第２の内部電極を含み、
前記第１の内部電極には、前記コンデンサ本体の外表面にまで引き出される複数の第１の引出し部が形成され、かつ、前記第２の内部電極には、前記コンデンサ本体の外表面にまで引き出される複数の第２の引出し部が形成され、
前記第２のコンデンサ部は、静電容量を形成するように所定の前記誘電体層を介して互いに対向する少なくとも１対の第３および第４の内部電極を含み、
前記第３の内部電極には、前記コンデンサ本体の外表面にまで引き出される少なくとも１つの第３の引出し部が形成され、かつ、前記第４の内部電極には、前記コンデンサ本体の外表面にまで引き出される少なくとも１つの第４の引出し部が形成され、
前記コンデンサ本体の外表面上には、前記第１、第２、第３および第４の引出し部に、直接、それぞれ電気的に接続される第１、第２、第３および第４の外部端子電極が形成され、
１対の前記第３および第４の内部電極についての前記第３および第４の引出し部の対の数は、１対の前記第１および第２の内部電極についての前記第１および第２の引出し部の対の数より少なく、
前記第１、第２、第３および第４の外部端子電極は、前記誘電体層の積層方向に沿って延びるように、かつ、前記第１および第２のコンデンサ部の双方にかかるようにして形成されている、
積層コンデンサ。
【請求項２】
各々１つの前記第３および第４の内部電極についての前記第３および第４の引出し部の少なくとも一方の数は、各々１つの前記第１および第２の内部電極についての前記第１および第２の引出し部の各々の数より少ない、請求項１に記載の積層コンデンサ。
【請求項３】
各々１つの前記第３および第４の内部電極についての前記第３および第４の引出し部の各々の数は、各々１つの前記第１および第２の内部電極についての前記第１および第２の引出し部の各々の数より少ない、請求項１に記載の積層コンデンサ。
【請求項４】
前記第１および第２の外部端子電極の少なくとも一方は、前記第３および第４の外部端子電極の少なくとも一方と共通である、請求項１ないし３のいずれかに記載の積層コンデンサ。
【請求項５】
前記第１および第２の外部端子電極は、交互に配置される、請求項１ないし４のいずれかに記載の積層コンデンサ。
【請求項６】
前記コンデンサ本体において、前記第１のコンデンサ部と前記第２のコンデンサ部とは積層方向に並ぶように配置されるとともに、前記第１のコンデンサ部が積層方向での少なくとも一方端に位置される、請求項１ないし５のいずれかに記載の積層コンデンサ。
【請求項７】
前記コンデンサ本体において、前記第２のコンデンサ部が２つの前記第１のコンデンサ部によって積層方向に挟まれるように配置される、請求項６に記載の積層コンデンサ。
【請求項８】
前記コンデンサ本体は、相対向する２つの主面および前記２つの主面間を連結する４つの側面を有する直方体状をなしていて、前記誘電体層は、前記主面の方向に延びており、前記外部端子電極は、４つの前記側面上に形成される、請求項１ないし７のいずれかに記載の積層コンデンサ。
【請求項９】
前記主面は、４つの前記側面のいずれよりも大きい面積を有していて、前記主面のいずれか一方が所定の実装面側に向けられた状態で実装される、請求項８に記載の積層コンデンサ。
【請求項１０】
前記コンデンサ本体は、相対向する２つの主面および前記２つの主面間を連結する４つの側面を有する直方体状をなしていて、前記外部端子電極は、互いに対向する２つの前記側面上にのみ形成される、請求項１ないし７のいずれかに記載の積層コンデンサ。
【請求項１１】
前記主面は、４つの前記側面のいずれよりも大きい面積を有していて、前記主面のいずれか一方が所定の実装面側に向けられた状態で実装される、請求項１０に記載の積層コンデンサ。
【請求項１２】
前記外部端子電極が形成された前記側面は、前記主面および残りの前記側面のいずれよりも大きい面積を有していて、前記外部端子電極が形成された前記側面のいずれか一方が所定の実装面側に向けられた状態で実装される、請求項１０に記載の積層コンデンサ。
【請求項１３】
請求項６または７に記載の積層コンデンサが所定の実装面上に実装された構造であって、前記第１のコンデンサ部が前記実装面により近い側に位置するように前記コンデンサ本体を向けた状態で、前記積層コンデンサが実装される、積層コンデンサの実装構造。
【請求項１４】
相対向する２つの主面および前記２つの主面間を連結する４つの側面を有する直方体状をなし、前記主面の方向に延びる誘電体層が複数積層された積層構造を有するコンデンサ本体を備え、
前記コンデンサ本体は、前記誘電体層の積層方向に並ぶように配置された第１および第２のコンデンサ部を構成していて、
前記第１のコンデンサ部は、静電容量を形成するように所定の前記誘電体層を介して互いに対向する少なくとも１対の第１および第２の内部電極を含み、
前記第１の内部電極には、前記コンデンサ本体の前記側面にまで引き出される複数の第１の引出し部が形成され、かつ、前記第２の内部電極には、前記コンデンサ本体の前記側面にまで引き出される複数の第２の引出し部が形成され、
前記第２のコンデンサ部は、静電容量を形成するように所定の前記誘電体層を介して互いに対向する少なくとも１対の第３および第４の内部電極を含み、
前記第３の内部電極には、前記コンデンサ本体の前記側面にまで引き出される少なくとも１つの第３の引出し部が形成され、かつ、前記第４の内部電極には、前記コンデンサ本体の前記側面にまで引き出される少なくとも１つの第４の引出し部が形成され、
前記コンデンサ本体の互いに対向する２つの前記側面上にのみ、前記誘電体層の積層方向に沿って延びるように、かつ、前記第１および第２のコンデンサ部の双方にかかるようにして、前記第１、第２、第３および第４の引出し部に、直接、それぞれ電気的に接続される第１および第２の外部端子電極が形成され、
１対の前記第３および第４の内部電極についての前記第３および第４の引出し部の対の数は、１対の前記第１および第２の内部電極についての前記第１および第２の引出し部の対の数より少ない、
積層コンデンサ。
【請求項１５】
前記第１の外部端子電極は、前記第１の引出し部および前記第３の引出し部に電気的に接続され、前記第２の引出し部および前記第４の引出し部とは電気的に絶縁され、
前記第２の外部端子電極は、前記第２の引出し部および前記第４の引出し部に電気的に接続され、前記第１の引出し部および前記第３の引出し部とは電気的に絶縁される、
請求項１４に記載の積層コンデンサ。
【請求項１６】
前記第１および第２の外部端子電極は、交互に配置される、請求項１４または１５に記載の積層コンデンサ。
【請求項１７】
相対向する２つの主面および前記２つの主面間を連結する４つの側面を有する直方体状をなし、前記主面の方向に延びる誘電体層が複数積層された積層構造を有するコンデンサ本体を備え、
前記コンデンサ本体は、前記誘電体層の積層方向に並ぶように配置された第１および第２のコンデンサ部を構成していて、
前記第１のコンデンサ部は、静電容量を形成するように所定の前記誘電体層を介して互いに対向する少なくとも１対の第１および第２の内部電極を含み、
前記第１の内部電極には、前記コンデンサ本体の前記側面にまで引き出される複数の第１の引出し部が形成され、かつ、前記第２の内部電極には、前記コンデンサ本体の前記側面にまで引き出される複数の第２の引出し部が形成され、
前記第２のコンデンサ部は、静電容量を形成するように所定の前記誘電体層を介して互いに対向する少なくとも１対の第３および第４の内部電極を含み、
前記第３の内部電極には、前記コンデンサ本体の前記側面にまで引き出される少なくとも１つの第３の引出し部が形成され、かつ、前記第４の内部電極には、前記コンデンサ本体の前記側面にまで引き出される少なくとも１つの第４の引出し部が形成され、
前記コンデンサ本体の互いに対向する２つの前記側面上に、前記誘電体層の積層方向に沿って延びるように、かつ、前記第１および第２のコンデンサ部の双方にかかるようにして、前記第１、第２、第３および第４の引出し部に、直接、それぞれ電気的に接続される第１および第２の外部端子電極が形成され、
前記コンデンサ本体の互いに対向する残りの２つの前記側面上に、前記誘電体層の積層方向に沿って延びるように、かつ、前記第１および第２のコンデンサ部の双方にかかるようにして、前記第１、第２、第３および第４の引出し部に、直接、それぞれ電気的に接続される第１および第２の外部端子電極が形成され、
１対の前記第３および第４の内部電極についての前記第３および第４の引出し部の対の数は、１対の前記第１および第２の内部電極についての前記第１および第２の引出し部の対の数より少ない、
積層コンデンサ。
【請求項１８】
前記第１の外部端子電極は、前記第１の引出し部および前記第３の引出し部に電気的に接続され、前記第２の引出し部および前記第４の引出し部とは電気的に絶縁され、
前記第２の外部端子電極は、前記第２の引出し部および前記第４の引出し部に電気的に接続され、前記第１の引出し部および前記第３の引出し部とは電気的に絶縁される、
請求項１７に記載の積層コンデンサ。
【請求項１９】
前記第１および第２の外部端子電極は、交互に配置される、請求項１７または１８に記載の積層コンデンサ。
【発明の詳細な説明】
【技術分野】
【０００１】
この発明は、積層コンデンサおよびその実装構造に関するもので、特に、高周波回路において有利に適用される積層コンデンサおよびその実装構造に関するものである。
【背景技術】
【０００２】
数ＧＨｚのような高周波領域において、ＭＰＵ（マイクロプロセッシングユニット）等のための電源回路に用いられるデカップリングコンデンサとして、たとえば特開平１１−１４４９９６号公報（特許文献１）に記載のような構造の積層コンデンサが知られている。この積層コンデンサによれば、多端子構造にしながら、隣り合う端子を逆極性にすることによって、正極から負極への電流の流れを短くし、電流の流れを多様にし、さらに、電流の方向を互いに逆方向に向けるようにして磁束の相殺を行ない、それによって、ＥＳＬ（等価直列インダクタンス）の低減が図られている。
【０００３】
しかしながら、上記特許文献１に記載の積層コンデンサによれば、ＥＳＬの低下に伴って、ＥＳＲ（等価直列抵抗）も低下するため、インピーダンス特性が急峻になるという問題を有している。
【０００４】
他方、特開２００１−２８４１７０号公報（特許文献２）では、コンデンサ本体の内部に静電容量を形成するために設けられる内部電極の各々について、コンデンサ本体の表面にまで引き出されかつ外部端子電極に電気的に接続される引き出し部の数を単に１つとすることによって、積層コンデンサのＥＳＲを高めることが提案されている。
【０００５】
しかしながら、特許文献２に記載の構造によれば、ＥＳＲを高くすることができるものの、それに伴って、ＥＳＬが高くなり、高周波側の特性が劣化するという問題がある。
【特許文献１】特開平１１−１４４９９６号公報
【特許文献２】特開２００１−２８４１７０号公報
【発明の開示】
【発明が解決しようとする課題】
【０００６】
そこで、この発明の目的は、低ＥＳＬ化を図りながらも、高ＥＳＲ化を図ることができる、積層コンデンサを提供しようとすることである。
【０００７】
この発明の他の目的は、上述のように低ＥＳＬ化が図られた積層コンデンサの低ＥＳＬ特性を十分に発揮させることができる、積層コンデンサの実装構造を提供しようとすることである。
【課題を解決するための手段】
【０００８】
この発明に係る積層コンデンサは、積層された複数の誘電体層をもって構成される積層構造を有するコンデンサ本体を備えている。この発明では、上述した技術的課題を解決するため、積層コンデンサが、次のように構成されることを特徴としている。
【０００９】
すなわち、積層コンデンサに備えるコンデンサ本体は、第１および第２のコンデンサ部を構成している。
【００１０】
第１のコンデンサ部は、静電容量を形成するように所定の誘電体層を介して互いに対向する少なくとも１対の第１および第２の内部電極を含み、第１の内部電極には、コンデンサ本体の外表面にまで引き出される複数の第１の引出し部が形成され、かつ、第２の内部電極には、コンデンサ本体の外表面にまで引き出される複数の第２の引出し部が形成される。
【００１１】
他方、第２のコンデンサ部は、静電容量を形成するように所定の誘電体層を介して互いに対向する少なくとも１対の第３および第４の内部電極を含み、第３の内部電極には、コンデンサ本体の外表面にまで引き出される少なくとも１つの第３の引出し部が形成され、かつ、第４の内部電極には、コンデンサ本体の外表面にまで引き出される少なくとも１つの第４の引出し部が形成される。
【００１２】
コンデンサ本体の外表面上には、上記第１、第２、第３および第４の引出し部に、直接、それぞれ電気的に接続される第１、第２、第３および第４の外部端子電極が形成される。
【００１３】
そして、１対の第３および第４の内部電極についての第３および第４の引出し部の対の数が、１対の第１および第２の内部電極についての第１および第２の引出し部の対の数より少なくされることを特徴とするとともに、第１、第２、第３および第４の外部端子電極は、誘電体層の積層方向に沿って延びるように、かつ、第１および第２のコンデンサ部の双方にかかるようにして形成されていることを特徴としている。
【００１４】
この発明に係る積層コンデンサにおいて、典型的には、各々１つの第３および第４の内部電極についての第３および第４の引出し部の少なくとも一方の数が、各々１つの第１および第２の内部電極についての第１および第２の引出し部の各々の数より少なくされる。
【００１５】
この発明に係る積層コンデンサにおいて、好ましくは、各々１つの第３および第４の内部電極についての第３および第４の引出し部の各々の数は、各々１つの第１および第２の内部電極についての第１および第２の引出し部の各々の数より少なくされる。
【００１６】
第１および第２の外部端子電極の少なくとも一方は、第３および第４の外部端子電極の少なくとも一方と共通であってもよい。
【００１７】
第１および第２の外部端子電極は、交互に配置されることが好ましい。
【００１８】
コンデンサ本体において、第１のコンデンサ部と第２のコンデンサ部とは積層方向に並ぶように配置されるとともに、第１のコンデンサ部が積層方向での少なくとも一方端に位置されることが好ましい。この場合、コンデンサ本体において、第２のコンデンサ部が２つの第１のコンデンサ部によって積層方向に挟まれるように配置されることがより好ましい。
【００１９】
この発明の特定的な実施態様では、コンデンサ本体は、相対向する２つの主面および２つの主面間を連結する４つの側面を有する直方体状をなしていて、誘電体層は、主面の方向に延びており、外部端子電極は、４つの側面上に形成される。この実施態様において、主面が、４つの側面のいずれよりも大きい面積を有しているとき、主面のいずれか一方が所定の実装面側に向けられた状態で実装されることが好ましい。
【００２０】
この発明の特定的な他の実施態様では、コンデンサ本体は、相対向する２つの主面および２つの主面間を連結する４つの側面を有する直方体状をなしていて、外部端子電極は、互いに対向する２つの側面上にのみ形成される。この実施態様において、主面が、４つの側面のいずれよりも大きい面積を有しているとき、主面のいずれか一方が所定の実装面側に向けられた状態で実装され、また、外部端子電極が形成された側面が、主面および残りの側面のいずれよりも大きい面積を有しているとき、外部端子電極が形成された側面のいずれか一方が所定の実装面側に向けられた状態で実装されることが好ましい。
【００２１】
この発明は、また、上述した第１および第２のコンデンサ部の積層方向での配置についての好ましい実施態様に係る積層コンデンサが所定の実装面上に実装された、積層コンデンサの実装構造にも向けられる。この発明に係る積層コンデンサの実装構造は、第１のコンデンサ部が実装面により近い側に位置するようにコンデンサ本体を向けた状態で、積層コンデンサが実装されることを特徴としている。
【発明の効果】
【００２２】
この発明に係る積層コンデンサによれば、コンデンサ本体を第１のコンデンサ部と第２のコンデンサ部とに分割し、第２のコンデンサ部にある１対の第３および第４の内部電極についての第３および第４の引出し部の対の数を、第１のコンデンサ部にある１対の第１および第２の内部電極についての第１および第２の引出し部の対の数より少なくしているので、第１のコンデンサ部において、より低ＥＳＬ化を図ることができ、その結果、第１のコンデンサ部の共振周波数を第２のコンデンサ部の共振周波数より高くすることができる。したがって、第１のコンデンサ部がコンデンサ本体の複合特性において高周波側に影響を与えることになり、第１のコンデンサ部のＥＳＬ特性が反映され、コンデンサ本体の低ＥＳＬ化を図ることができる。
【００２３】
また、コンデンサ本体を第１のコンデンサ部と第２のコンデンサ部とに分割し、第１のコンデンサ部の共振周波数と第２のコンデンサ部の共振周波数とを異ならせることにより、第１のコンデンサ部のＥＳＲと第２のコンデンサ部のＥＳＲとの複合特性によって、コンデンサ本体のＥＳＲが決定されることになる。ここで、前述のように、第２のコンデンサ部にある１対の第３および第４の内部電極についての第３および第４の引出し部の対の数を、第１のコンデンサ部にある１対の第１および第２の内部電極についての第１および第２の引出し部の対の数より少なくしているので、第２のコンデンサ部において、より高ＥＳＲ化を図ることができる。したがって、コンデンサ本体についての高ＥＳＲ化が、第２のコンデンサ部によって図られることができる。
【００２４】
その結果、低ＥＳＬかつ高ＥＳＲの双方を満足させる積層コンデンサを得ることができる。
【００２５】
この発明に係る積層コンデンサにおいて、前述のように、第３および第４の引出し部の対の数を、第１および第２の引出し部の対の数より少なくするため、各々１つの第３および第４の内部電極についての第３および第４の引出し部の各々の数を、各々１つの第１および第２の内部電極についての第１および第２の引出し部の各々の数より少なくするようにすれば、第１のコンデンサ部による低ＥＳＬ化および第２のコンデンサ部による高ＥＳＲ化を確実に達成することができる。
【００２６】
この発明に係る積層コンデンサにおいて、第１および第２の外部端子電極が交互に配置されていると、正極から負極への電流の流れをより短くし、かつ磁束の相殺をより効果的に行なうことができるので、第１のコンデンサ部でのＥＳＬをより低減することができる。
【００２７】
コンデンサ本体において、第１のコンデンサ部と第２のコンデンサ部とが積層方向に並ぶように配置されるとともに、第１のコンデンサ部が積層方向での少なくとも一方端に位置される場合であって、第１のコンデンサ部が実装面により近い側に位置するようにコンデンサ本体を向けた状態で、積層コンデンサが実装される場合には、正極の外部端子電極から内部電極を通って負極の外部端子電極へと流れる電流の経路をより短くすることができるので、実装構造において低ＥＳＬ化を図ることができる。したがって、低ＥＳＬ化が図られた積層コンデンサの低ＥＳＬ特性を十分に発揮させることができる。
【００２８】
コンデンサ本体において、第２のコンデンサ部が２つの第１のコンデンサ部によって積層方向に挟まれるように配置されていると、上述のような低ＥＳＬ化が可能な実装構造を得るにあたって、コンデンサ本体の上下についての方向性をなくすことができる。
【発明を実施するための最良の形態】
【００２９】
図１ないし図４は、この発明の第１の実施形態による積層コンデンサ１を示している。ここで、図１は、積層コンデンサ１の外観を示す斜視図であり、図２は、積層コンデンサ１の実装構造を示す断面図である。なお、図２において、積層コンデンサ１は、後述する図３および図４の線ＩＩ−ＩＩに沿う断面をもって示されている。
【００３０】
積層コンデンサ１は、相対向する２つの主面２および３ならびにこれら主面２および３間を連結する４つの側面４、５、６および７を有する直方体状のコンデンサ本体８を備えている。コンデンサ本体８は、主面２および３の方向に延びる、たとえば誘電体セラミックからなる積層された複数の誘電体層９をもって構成される積層構造を有している。また、主面２および３は、４つの側面４〜７のいずれよりも大きい面積を有している。
【００３１】
コンデンサ本体８は、図２に示すように、第１および第２のコンデンサ部１１および１２を構成している。この実施形態では、第１のコンデンサ部１１と第２のコンデンサ部１２とは、積層方向に並ぶように配置され、しかも、第２のコンデンサ部１２が２つの第１のコンデンサ部１１によって積層方向に挟まれるように配置されている。その結果、第１のコンデンサ部１１は、コンデンサ本体８における積層方向での両端に位置される。
【００３２】
第１のコンデンサ部１１は、静電容量を形成するように所定の誘電体層９を介して互いに対向する少なくとも１対の第１および第２の内部電極１３および１４を備えている。他方、第２のコンデンサ部１２は、静電容量を形成するように所定の誘電体層９を介して互いに対向する少なくとも１対の第３および第４の内部電極１５および１６を備えている。
【００３３】
この実施形態では、より大きな静電容量を得るため、第１および第２の内部電極１３および１４の対の数ならびに第３および第４の内部電極１５および１６の対の数は、複数とされる。
【００３４】
図３は、第１のコンデンサ部１１の内部構造を示す平面図であり、（ａ）は、第１の内部電極１３が通る断面を示し、（ｂ）は、第２の内部電極１４が通る断面を示している。
【００３５】
図３（ａ）に示すように、第１の内部電極１３には、コンデンサ本体８の外表面、すなわち側面４〜７にまで引き出される複数、たとえば７つの第１の引出し部１７が形成されている。また、図３（ｂ）に示すように、第２の内部電極１４には、コンデンサ本体８の外表面、すなわち側面４〜７にまで引き出される複数、たとえば７つの第２の引出し部１８が形成されている。したがって、１対の第１および第２の内部電極１３および１４についての第１および第２の引出し部１７および１８の対の数は、７ということになる。
【００３６】
コンデンサ本体８の側面４〜７の各々上には、第１の引出し部１７に、直接、それぞれ電気的に接続される複数、たとえば７つの第１の外部端子電極１９、ならびに第２の引出し部１８に、直接、それぞれ電気的に接続される複数、たとえば７つの第２の外部端子電極２０が形成されている。第１および第２の外部端子電極１９および２０は、図１および図２に示されるように、誘電体層９の積層方向に沿って延びるように、かつ、第１および第２のコンデンサ部１１および１２の双方にかかるようにして形成されるとともに、側面４〜７上から主面２および３の各々の一部上にまで延びるように形成されている。
【００３７】
第１の引出し部１７がそれぞれ引き出される側面４〜７上での各位置は、第２の引出し部１８がそれぞれ引き出される各位置と異なっており、したがって、第１の外部端子電極１９が設けられる側面４〜７上での各位置は、第２の外部端子電極２０の各位置と異なっている。そして、第１の外部端子電極１９と第２の外部端子電極２０とは、側面４〜７上において、交互に配置されている。
【００３８】
図４は、第２のコンデンサ部１２の内部構造を示す平面図であり、（ａ）は、第３の内部電極１５が通る断面を示し、（ｂ）は、第４の内部電極１６が通る断面を示している。
【００３９】
図４（ａ）に示すように、第３の内部電極１５には、コンデンサ本体８の外表面、すなわち側面５および７にまで引き出される少なくとも１つ、たとえば２つの第３の引出し部２１が形成されている。また、図４（ｂ）に示すように、第４の内部電極１６には、コンデンサ本体８の外表面、すなわち側面５および７にまで引き出される少なくとも１つ、たとえば２つの第４の引出し部２２が形成されている。したがって、１対の第３および第４の内部電極１５および１６についての第３および第４の引出し部２１および２２の対の数は、２ということになる。
【００４０】
この実施形態では、第３の引出し部２１は、前述した第１の外部端子電極１９に電気的に接続され、第４の引出し部２２は、前述した第２の外部端子電極２０に電気的に接続されている。すなわち、第１の外部端子電極１９のいくつかは、第３の引出し部２１に電気的に接続されるべき第３の外部端子電極と共通であり、第２の外部端子電極２０のいくつかは、第４の引出し部２２に電気的に接続されるべき第４の外部端子電極と共通である。
【００４１】
上述のように、第３および第４の引出し部２１および２２が、それぞれ、第１および第２の引出し部１７および１８と共通する第１および第２の外部端子電極１９および２０に電気的に接続されていると、積層コンデンサ１自身において、第１のコンデンサ部１１と第２のコンデンサ部１２とを並列に接続した状態とすることができる。
【００４２】
なお、後述する実施形態のように、第３および第４の引出し部２１および２２にそれぞれ接続されるべき第３および第４の外部端子電極を、第１および第２の外部端子電極とは別に設けてもよい。
【００４３】
以上説明した第１の実施形態では、１対の第３および第４の内部電極１５および１６についての第３および第４の引出し部２１および２２の対の数が、１対の第１および第２の内部電極１３および１４についての第１および第２の引出し部１７および１８の対の数より少ない。すなわち、前者が２であり、後者が７である。
【００４４】
特に、第１の実施形態では、各々１つの第３および第４の内部電極１５および１６についての第３および第４の引出し部２１および２２の各々の数は、各々１つの第１および第２の内部電極１３および１４についての第１および第２の引出し部１７および１８の各々の数より少ない。すなわち、前者が２つであり、後者が７つである。
【００４５】
そのため、第１および第２の内部電極１３および１４での電流の流れる方向を多様にすることができ、磁束の相殺によって、第１のコンデンサ部１１のＥＳＬを、第２のコンデンサ部１２のＥＳＬよりも低くすることができる。
【００４６】
他方、第３および第４の内部電極１５および１６にあっては、前述したように、第３および第４の引出し部２１および２２の各々の数が、第１および第２の内部電極１３および１４についての第１および第２の引出し部１７および１８の各々の数より少ない。そのため、内部電極１３〜１６あるいは引出し部１７、１８、２１および２２がＥＳＲに及ぼす影響が第１のコンデンサ部１１と第２のコンデンサ部１２とで変わらず、かつ内部電極１３〜１６の材料等の他の条件が同じであるとすれば、第３および第４の内部電極１５および１６においては、第１および第２の内部電極１３および１４に比べて、電流の流れる方向が少ないことから、第２のコンデンサ部１２のＥＳＲを、第１のコンデンサ部１１のＥＳＲよりも高くすることができる。
【００４７】
以上のようなことから、積層コンデンサ１の特性は、第１のコンデンサ部１１による低ＥＳＬ特性が有効に働くとともに、第１のコンデンサ部１１のＥＳＲ特性と第２のコンデンサ部１２のＥＳＲ特性とが反映された高ＥＳＲ特性となる。したがって、積層コンデンサ１によれば、低ＥＳＬ化および高ＥＳＲ化の双方を実現することができる。
【００４８】
図２には、配線基板２４によって与えられた実装面２５上に、積層コンデンサ１が実装された構造が示されている。配線基板２４の実装面２５上には、いくつかの導電ランド２６および２７が設けられていて、第１および第２の外部端子電極１９および２０が、それぞれ、導電ランド２６および２７に半田付け（図示せず。）等によって電気的に接続される。
【００４９】
上述のような実装構造において、第１のコンデンサ部１１が実装面２５により近い側に位置するようにコンデンサ本体８を向けた状態で、積層コンデンサ１が実装されている。
【００５０】
上述のような積層コンデンサ１の実装状態において、第１の外部端子電極１９が正極となり、第２の外部端子電極２０が負極となる時点において、正極から内部電極１３〜１６を通って負極へと流れる電流の流れのループを考慮した場合、より高周波になるほど、図２において破線の矢印２８で示すように、最下層から２つの内部電極１３（ａ）および１４（ａ）に流れる電流がＥＳＬ値により大きく影響するようになる。そのため、前述したように、第１のコンデンサ部１１を実装面２５により近い側に位置させると、積層コンデンサ１の実装状態において、一層の低ＥＳＬ化を図ることができる。
【００５１】
なお、第１の実施形態のように、第２のコンデンサ部１２が２つの第１のコンデンサ部１１によって積層方向に挟まれるように配置されていると、コンデンサ本体８の上下についての方向性をなくすことができる。したがって、図２に示すように、主面３を実装面２５側に向けても、図示しないが、主面２を実装面２５側に向けても、上述のような低ＥＳＬ化を図ることができる。
【００５２】
図５は、上述した積層コンデンサ１が与える等価回路を模式的に示している。図５に示した要素と図１ないし図４に示した各要素との対応関係がわかるように、図５において、図１ないし図４に示した要素に相当する要素には同様に参照符号が付されている。
【００５３】
図５において、第１ないし第４の内部電極１３〜１６の各々について、１つの内部電極が１本の線で示されている。第１のコンデンサ部１１においては、第１および第２の内部電極１３および１４が２対図示されるとともに、これら２対の第１および第２の内部電極１３および１４の間に点線を表示することによって、さらに多数の第１および第２の内部電極１３および１４を備え得ることが示唆されている。同様に、第２のコンデンサ部１２においても、第３および第４の内部電極１５および１６が２対図示されるとともに、これら２対の第３および第４の内部電極１５および１６の間に点線を表示することによって、さらに多数の第３および第４の内部電極１５および１６を備え得ることが示唆されている。
【００５４】
なお、図５と前述の図２とを対比したとき、第１のコンデンサ部１１における第１および第２の内部電極１３および１４の数が一致しないが、これは、図２では、第１および第２の内部電極１３および１４の代表的なもののみが図示されていると理解すればよい。
【００５５】
図５に示すように、引出し部１７、１８、２１および２２の各々について、１つの引出し部のそれぞれに関連して、ＥＳＲ２９およびＥＳＬ３０が形成されている。
【００５６】
図６は、この実施形態による積層コンデンサ１の好ましい用途を説明するためのもので、積層コンデンサ１をデカップリングコンデンサとして用いているＭＰＵの回路構成を示す図である。
【００５７】
ＭＰＵは、ＭＰＵチップ１０１およびメモリ１０２を備える。電源部１０３は、ＭＰＵチップ１０１に電源を供給するためのもので、電源部１０３からＭＰＵチップ１０１に至る電源回路には、積層コンデンサ１がデカップリングコンデンサとして機能するように接続されている。また、ＭＰＵチップ１０１からメモリ１０２側には、図示しないが、信号回路が構成されている。
【００５８】
上述したＭＰＵに関連して、デカップリングコンデンサとして用いられる積層コンデンサ１は、ノイズ吸収や電源の変動に対する平滑化のために用いられるばかりでなく、クイックパワーサプライとしての機能も有している。したがって、このようなデカップリングコンデンサとして用いられる積層コンデンサ１にあっては、ＥＳＬができるだけ低いことが望ましく、この点において、この実施形態に係る積層コンデンサは、デカップリングコンデンサとして有利に用いることができる。
【００５９】
図７は、この発明の第２の実施形態による積層コンデンサ１ａを説明するための図４に対応する図である。図７において、図４に示した要素に相当する要素には同様の参照符号を付し、重複する説明は省略する。
【００６０】
前述した第１の実施形態の場合と比較して、第２の実施形態では、第３の内部電極１５には、単に１つの第３の引出し部２１が形成され、かつ、第４の内部電極１６には、単に１つの第４の引出し部２２が形成されていることを特徴としている。その他の構成については、第１の実施形態の場合と同様である。
【００６１】
第２の実施形態によれば、第２のコンデンサ１２に含まれる１対の第３および第４の内部電極１５および１６についての第３および第４の引出し部２１および２２の対の数が、単に１であるので、第２のコンデンサ部１２でのＥＳＲを、第１の実施形態の場合に比べて、より高くすることができる。
【００６２】
図８は、この発明の第３の実施形態による積層コンデンサ１ｂを説明するための図４に対応する図である。図８において、図４に示した要素に相当する要素には同様の参照符号を付し、重複する説明は省略する。
【００６３】
第３の実施形態では、第３および第４の内部電極１５および１６のいずれか一方が、図３に示した第１および第２の内部電極１３および１４のいずれか一方と同じパターンを有していることを特徴としている。より具体的には、図８（ｂ）に示すように、第４の内部電極１６が、図３（ｂ）に示した第２の内部電極１４と同じパターンを有している。したがって、第４の内部電極１６には、７つの第４の引出し部２２が形成されている。その他の構成については、第１の実施形態の場合と実質的に同様である。
【００６４】
第３の実施形態では、１つの第４の内部電極１６が７つの第４の引出し部２２を有しているが、１つの第３の内部電極１５が単に２つの第３の引出し部２１を有しているにすぎないので、第３および第４の引出し部２１および２２の対の数は２ということになり、第１および第２の引出し部１７および１８の対の数すなわち７より少ない。したがって、第２のコンデンサ部１２のＥＳＲを、第１のコンデンサ部１１のＥＳＲよりも高くすることができる。
【００６５】
さらに、第３の実施形態によれば、各々１つの第３および第４の内部電極１５および１６についての第３および第４の引出し部２１および２２の少なくとも一方の数が、各々１つの第１および第２の内部電極１３および１４についての第１および第２の引出し部１７および１８の各々の数より少ないという条件を満たしている。
【００６６】
図９は、この発明の第４の実施形態による積層コンデンサ１ｃを説明するためのものである。ここで、図９（ａ）および（ｂ）は、それぞれ、図３（ａ）および（ｂ）に対応し、図９（ｃ）および（ｄ）は、それぞれ、図４（ａ）および（ｂ）に対応している。図９において、図３および図４に示す要素に相当する要素には同様の参照符号を付し、重複する説明は省略する。
【００６７】
第４の実施形態では、第３および第４の外部端子電極３１および３２が別途形成されていることを特徴としている。すなわち、コンデンサ本体８の短辺側の側面５および７上に形成された外部端子電極は、第１および第２の外部端子電極１９および２０ではなく、第３および第４の外部端子電極３１および３２である。これら第３および第４の外部端子電極３１および３２には、図９（ｃ）および（ｄ）に示すように、それぞれ、第３の内部電極１５の第３の引出し部２１および第４の内部電極１６の第４の引出し部２２が電気的に接続される。
【００６８】
他方、図９（ａ）に示すように、第１の内部電極１３には、５つの第１の引出し部１７しか形成されず、これら第１の引出し部１７は、コンデンサ本体８の長辺側の側面４および６にのみ引き出され、第１の外部端子電極１９に電気的に接続される。また、図９（ｂ）に示すように、第２の内部電極１４には、５つの第２の引出し部１８しか形成されず、これら第２の引出し部１８は、コンデンサ本体８の長辺側の側面４および６にのみ引き出され、第２の外部端子電極２０に電気的に接続される。
【００６９】
その他の構成については、第１の実施形態の場合と実質的に同様である。
【００７０】
第４の実施形態によれば、第１の実施形態の場合と比べて、第１および第２の引出し部１７および１８の各々の数以外の条件が等しいとすれば、第１のコンデンサ部１１のＥＳＬがより高くなると推測される。
【００７１】
図１０は、この発明の第５の実施形態による積層コンデンサ１ｄを説明するためのものである。ここで、図１０（ａ）および（ｂ）は、それぞれ、図３（ａ）および（ｂ）に対応し、図１０（ｃ）および（ｄ）は、それぞれ、図４（ａ）および（ｂ）に対応している。図１０において、図３および図４に示した要素に相当する要素には同様の参照符号を付し、重複する説明は省略する。
【００７２】
第５の実施形態では、コンデンサ本体８の短辺側の側面５および７上には、いずれの外部端子電極もが形成されないことを特徴としている。すなわち、コンデンサ本体８の長辺側の側面４および６上にのみ、第１および第２の外部端子電極１９および２０が形成される。
【００７３】
また、第５の実施形態では、図１０（ｃ）に示すように、第３の内部電極１５には、１つの第３の引出し部２１が形成され、第３の引出し部２１は、第１の外部端子電極１９のいずれかに電気的に接続される。また、図１０（ｄ）に示すように、第４の内部電極１６には、１つの第４の引出し部２２が形成され、第４の引出し部２２は、第２の外部端子電極２０のいずれかに電気的に接続される。
【００７４】
その他の構成については、第１の実施形態の場合と実質的に同様である。
【００７５】
第５の実施形態は、コンデンサ本体８の短辺側の側面５および７上には外部端子電極が形成されない積層コンデンサ１ｄに対しても、この発明を適用できることを明示する意義を有する。
【００７６】
図１１は、この発明の第６の実施形態による積層コンデンサ１ｅを説明するための図３に対応する図である。図１１において、図３に示した要素に相当する要素には同様の参照符号を付し、重複する説明は省略する。
【００７７】
第６の実施形態では、図１１（ａ）に示すように、第１の内部電極１３が形成された誘電体層９上には、ダミー引出し部３８が形成され、他方、図１１（ｂ）に示すように第２の内部電極１４が形成された誘電体層９上には、ダミー引出し部３９が形成される。
【００７８】
ダミー引出し部３８および３９は、誘電体層９の周縁部に位置される。ダミー引出し部３８は、複数の第１の引出し部１７の各間に位置し、かつ第２の外部端子電極２０に電気的に接続される。他方、ダミー引出し部３９は、複数の第２の引出し部１８の各間に位置し、かつ第１の外部電子電極１９に電気的に接続される。
【００７９】
上述のように、ダミー引出し部３８および３９が形成されることによって、内部電極１３および１４の厚みに起因してコンデンサ本体８に生じ得る段差を抑制することができるとともに、外部端子電極１９および２０の、コンデンサ本体８に対する接合強度を高めることができる。
【００８０】
図１２は、この発明の第７の実施形態による積層コンデンサ１ｆを説明するための図４に対応する図である。図１２において、図４に示した要素に相当する要素には同様の参照符号を付し、重複する説明は省略する。
【００８１】
第７の実施形態では、図１２（ａ）に示すように、第３の内部電極１５が形成された誘電体層９上には、ダミー引出し部４０が形成され、他方、図１２（ｂ）に示すように、第４の内部電極１６が形成された誘電体層９上には、ダミー引出し部４１が形成される。
【００８２】
ダミー引出し部４０および４１は、誘電体層９の短辺に沿って位置される。ダミー引出し部４０は、コンデンサ本体８の短辺側の側面５および７上に形成された第２の外部端子電極２０に電気的に接続される。他方、ダミー引出し部４１は、コンデンサ本体８の短辺側の側面５および７上に形成された第１の外部端子電極１９に電気的に接続される。
【００８３】
上述したダミー引出し部４０および４１は、前述の図１１に示したダミー引出し部３８および３９と実質的に同様の作用効果を奏するものである。
【００８４】
なお、図１２に示した第７の実施形態の変形例として、ダミー引出し部を、誘電体層９の長辺に沿ってさらに位置させることも可能である。この場合においても、各ダミー引出し部は、コンデンサ本体８の長辺側の側面４および６上に形成された第１および第２の外部端子電極１９および２０にそれぞれ電気的に接続される。
【００８５】
図１３は、この発明の第８の実施形態による積層コンデンサ１ｇを説明するための図である。図１３には、図３または図４に示した要素と共通する要素が多く図示されているので、図１３において、図３または図４に示した要素に相当する要素には同様の参照符号を付し、重複する説明は省略する。
【００８６】
図１３には、コンデンサ本体８に備える誘電体層９のうち、内部電極が形成されないものが図示されている。このような内部電極が形成されない誘電体層９は、コンデンサ本体８の積層方向における端部に位置されたり、第１のコンデンサ部１１と第２のコンデンサ部１２との境界部分に位置されたりする。
【００８７】
第８の実施形態では、図１３に示すように、内部電極が形成されない誘電体層９の周縁部に沿って、複数のダミー引出し部４２が形成される。ダミー引出し部４２は、外部端子電極１９または２０に電気的に接続される。また、ダミー引出し部４２の寸法は、前述したダミー引出し部３８〜４１の各寸法と実質的に同等とされ、好ましくは、内部電極１３〜１６の各主要部と重なり合わないようにされる。
【００８８】
このようなダミー引出し部４２の作用効果についても、前述したダミー引出し部３８〜４１の場合と実質的に同様である。
【００８９】
以上のダミー引出し部に関連する第６のないし第８の実施形態は、各々単独で実施されてもよいが、好ましくは、２つ以上の実施形態が組み合わされて実施され、最も好ましくは、３つの実施形態が組み合わされて実施される。
【００９０】
図１４は、この発明の第９の実施形態による積層コンデンサ１ｈを説明するための図３に対応する図である。図１４において、図３に示した要素に相当する要素には同様の参照符号を付し、重複する説明は省略する。
【００９１】
図１４（ａ）および図１４（ｂ）には、それぞれ、図３（ａ）および図３（ｂ）に示した第１および第２の内部電極１３および１４が示されている。他方、図１４（ｃ）には、ダミー内部電極４５が示されている。ダミー内部電極４５は、この実施形態では、図１４（ｂ）に示した第２の内部電極１４と同じパターンを有している。すなわち、ダミー内部電極４５には、コンデンサ本体８の側面４〜７にまで引き出される引出し部４６が形成され、引出し部４６は、第２の外部端子電極２０に電気的に接続される。
【００９２】
前述したように、第１のコンデンサ部１１（図２参照）を構成するため、図１４（ａ）に示した第１の内部電極１３と図１４（ｂ）に示した第２の内部電極とが互いに対向するように積層されるが、この実施形態では、上述の積層構造における、積層方向での端部および／または途中において、第２の内部電極１４と隣り合うように、少なくとも１つのダミー内部電極４５が積層される。
【００９３】
上述のように、ダミー内部電極４５を積層構造に含ませることによって、静電容量は増加しないが、第２の外部端子電極２０の、コンデンサ本体８に対する接合強度を高めることができる。したがって、この実施形態は、大きな静電容量を必要としないが、誘電体層９の積層数を確保しながら、外部端子電極２０の接合強度を確保したい場合において、有利に適用される。
【００９４】
第９の実施形態の変形例として、第１の内部電極１３と同じパターンを有するダミー内部電極が形成されてもよい。
【００９５】
図１５は、この発明の第１０の実施形態による積層コンデンサ１ｉを説明するための図４に対応する図である。図１５において、図４に示した要素に相当する要素には同様の参照符号を付し、重複する説明は省略する。
【００９６】
図１５（ａ）および図１５（ｂ）には、それぞれ、図４（ａ）および図４（ｂ）に示した第３および第４の内部電極１５および１６が示されている。図１５（ｃ）には、ダミー内部電極４９が示されている。ダミー内部電極４９は、この実施形態では、図１５（ｂ）に示した第４の内部電極１６と同じパターンを有している。すなわち、ダミー内部電極４９には、コンデンサ本体８の短辺側の側面５および７にまで引き出される引出し部５０が形成され、引出し部５０は、第２の外部端子電極２０に電気的に接続される。
【００９７】
前述したように、第２のコンデンサ部１２（図２参照）を構成するため、図１５（ａ）に示した第３の内部電極１５と図１５（ｂ）に示した第４の内部電極１６とが互いに対向するように積層されるとき、この積層構造における、積層方向での端部および／または途中において、第４の内部電極１６と隣り合うように、少なくとも１つのダミー内部電極４９が積層される。上述したダミー内部電極４９の作用効果は、図１４（ｃ）に示したダミー内部電極４５と実質的に同様である。
【００９８】
第１０の実施形態の変形例として、第３の内部電極１５と同じパターンを有するダミー内部電極が形成されてもよい。
【００９９】
図１６は、この発明の第１１の実施形態による積層コンデンサ１ｊを説明するための図３に対応する図である。図１６において、図３に示した要素に相当する要素には同様の参照符号を付し、重複する説明は省略する。
【０１００】
図１６（ａ）および図１６（ｂ）には、それぞれ、図３（ａ）および図３（ｂ）に示した第１および第２の内部電極１３および１４が示されている。他方、図１６（ｃ）には、ダミー内部電極５３が示されている。ダミー内部電極５３は、この実施形態では、図４（ｂ）に示した第４の内部電極と同じパターンを有している。すなわち、ダミー内部電極５３には、コンデンサ本体８の短辺側の側面５および７にまで引き出される引出し部５４が形成され、引出し部５４は、第２の外部端子電極２０に電気的に接続される。
【０１０１】
前述したように、第１のコンデンサ部１１（図２参照）を構成するため、図１６（ａ）に示した第１の内部電極１３と図１６（ｂ）に示した第２の内部電極１４とが互いに対向するように積層されるとき、この積層構造における、積層方向での端部および／または途中において、第２の内部電極１４と隣り合うように、少なくとも１つのダミー内部電極５３が積層される。
【０１０２】
上述のダミー内部電極５３の作用効果は、図１４および図１５にそれぞれ示したダミー内部電極４５および４９の場合と実質的に同様である。
【０１０３】
第１１の実施形態の変形例として、図４（ａ）に示した第３の内部電極１５と同じパターンを有するダミー内部電極が形成されてもよい。
【０１０４】
図１７は、この発明の第１２の実施形態による積層コンデンサ１ｋを説明するための図４に対応する図である。図１７において、図４に示した要素に相当する要素には同様の参照符号を付し、重複する説明は省略する。
【０１０５】
図１７（ａ）および図１７（ｂ）には、それぞれ、図４（ａ）および図４（ｂ）に示した第３および第４の内部電極１５および１６が示されている。他方、図１７（ｃ）には、ダミー内部電極５７が示されている。ダミー内部電極５７は、図３（ｂ）に示した第２の内部電極１４と同じパターンを有している。すなわち、ダミー内部電極５７には、コンデンサ本体８の側面４〜７にまで引き出される引出し部５８が形成され、引出し部５８は、第２の外部端子電極２０に電気的に接続される。
【０１０６】
前述したように、第２のコンデンサ部１２（図２参照）を構成するため、図１７（ａ）に示した第３の内部電極１５と図１７（ｂ）に示した第４の内部電極１６とが互いに対向するように積層されるとき、この積層構造における、積層方向での端部および／または途中において、第４の内部電極１６と隣り合うように、少なくとも１つのダミー内部電極５７が積層される。
【０１０７】
上述のダミー内部電極５７の作用効果は、図１４ないし図１６にそれぞれ示したダミー内部電極４５、４９および５３の場合と実質的に同様である。
【０１０８】
第１２の実施形態の変形例として、図３（ａ）に示した第１の内部電極１３と同じパターンを有するダミー内部電極が形成されてもよい。
【０１０９】
なお、上述の第９ないし第１２の実施形態は、これらを適宜組み合わせて実施することができる。より具体的には、第９および第１１の実施形態は、第１のコンデンサ部１１に関するものであり、第１０および第１２の実施形態は、第２のコンデンサ部１２に関するものであるので、第９および第１１の実施形態の各々は、第１０および第１２の実施形態の各々と任意に組み合わせて実施することができる。
【０１１０】
図１８ないし図２１は、この発明の第１３の実施形態による積層コンデンサ６１を示している。
【０１１１】
ここで、図１８は、積層コンデンサ６１の外観を示す斜視図であり、図１９は、積層コンデンサ６１における第１および第２のコンデンサ部６２および６３の配置状態を図解的に示す側面図である。図１８および図１９には、実装面６４が図示されている。積層コンデンサ６１は、実装状態において、実装面６４と平行な方向に積層方向を有していることを特徴としている。
【０１１２】
積層コンデンサ６１は、相対向する２つの主面６５および６６ならびにこれら主面６５および６６間を連結する４つの側面６７、６８、６９および７０を有する直方体状のコンデンサ本体７１を備えている。コンデンサ本体７１は、主面６５および６６の方向に延びる、たとえば誘電体セラミックからなる積層された複数の誘電体層７２（図２０および図２１参照）をもって構成される積層構造を有している。また、側面６７および６９は、主面６５および６６ならびに残りの側面６８および７０のいずれよりも大きい面積を有している。
【０１１３】
コンデンサ本体７１は、図１９に示すように、第１および第２のコンデンサ部６２および６３を構成している。第１のコンデンサ部６２と第２のコンデンサ部６３とは、実装面６４に平行な積層方向に並ぶように配置され、しかも、第２のコンデンサ部６３が２つの第１のコンデンサ部６２によって挟まれるように配置されている。その結果、第１のコンデンサ部６２は、コンデンサ本体７１における積層方向での両端に位置される。
【０１１４】
図２０は、第１のコンデンサ部６２の内部構造を示す誘電体層７２の平面図であり、（ａ）は、第１の内部電極７３が通る断面を示し、（ｂ）は、第２の内部電極７４が通る断面を示している。他方、図２１は、第２のコンデンサ部６３の内部構造を示す誘電体層７２の平面図であり、（ａ）は、第３の内部電極７５が通る断面を示し、（ｂ）は、第４の内部電極７６が通る断面を示している。
【０１１５】
第１のコンデンサ部６２においては、図２０に示す、少なくとも１対の第１および第２の内部電極７３および７４が、静電容量を形成するように所定の誘電体層７２を介して互いに対向している。他方、第２のコンデンサ部６３においては、図２１に示す、少なくとも１対の第３および第４の内部電極７５および７６が、静電容量を形成するように所定の誘電体層７２を介して互いに対向している。
【０１１６】
図２０（ａ）に示すように、第１の内部電極７３には、コンデンサ本体７１の相対向する２つの側面６７および６９にまでそれぞれ引き出される各２つの第１の引出し部７７が形成されている。また、図２０（ｂ）に示すように、第２の内部電極７４には、コンデンサ本体７１の相対向する側面６７および６９にまでそれぞれ引き出される各２つの第２の引出し部７８が形成されている。
【０１１７】
コンデンサ本体７１の側面６７および６９の各々上には、第１の引出し部７７にそれぞれ電気的に接続される各２つの第１の外部端子電極７９、ならびに第２の引出し部７８にそれぞれ電気的に接続される各２つの第２の外部端子電極８０が形成されている。第１および第２の外部端子電極７９および８０は、誘電体層７２の積層方向に沿って延びるように、かつ、第１および第２のコンデンサ部６２および６３の双方にかかるようにして形成されるとともに、図１８にその一部が示されているように、側面６７および６９の各々上から主面６５および６６の各々の一部上にまで延びるように形成されている。また、第１の外部端子電極７９と第２の外部端子電極８０とは、側面６７および６９の各々上において、交互に配置されている。
【０１１８】
図２１（ａ）に示すように、第３の内部電極７５には、コンデンサ本体７１の相対向する側面６７および６９にまでそれぞれ引き出される各１つの第３の引出し部８１が形成されている。また、図２１（ｂ）に示すように、第４の内部電極７６には、コンデンサ本体７１の相対向する側面６７および６９にまでそれぞれ引き出される各１つの第４の引出し部８２が形成されている。
【０１１９】
この実施形態では、第３の引出し部８１は、前述した第１の外部端子電極７９に電気的に接続され、第４の引出し部８２は、前述した第２の外部端子電極８０に電気的に接続されている。
【０１２０】
以上説明した第１３の実施形態においても、第１の実施形態等の場合と同様、１対の第３および第４の内部電極７５および７６についての第３および第４の引出し部８１および８２の対の数が、１対の第１および第２の内部電極７３および７４についての第１および第２の引出し部７７および７８の対の数より少ない。すなわち、前者が２であり、後者が４である。
【０１２１】
また、第１３の実施形態では、各々１つの第３および第４の内部電極７５および７６についての第３および第４の引出し部８１および８２の各々の数は、各々１つの第１および第２の内部電極７３および７４についての第１および第２の引出し部７７および７８の各々の数より少ない。すなわち、前者が２つであり、後者が４つである。
【０１２２】
そのため、第１および第２の内部電極７３および７４での電流の流れる方向を多様にすることができ、磁束の相殺によって、第１のコンデンサ部６２のＥＳＬを、第２のコンデンサ部６３のＥＳＬよりも低くすることができる。他方、第３および第４の内部電極７５および７６にあっては、電流の流れる方向が少ないため、内部電極７３〜７６の材料等の他の条件が同じであれば、第２のコンデンサ部６３のＥＳＲを、第１のコンデンサ部６２のＥＳＲよりも高くすることができる。
【０１２３】
したがって、積層コンデンサ６１の特性は、第１のコンデンサ部６２による低ＥＳＬ特性と第２のコンデンサ部６３による高ＥＳＲ特性とを複合した特性となる。したがって、積層コンデンサ６１によっても、低ＥＳＬ化および高ＥＳＲ化の双方を実現することができる。
【０１２４】
図２２および図２３は、それぞれ、この発明の第１４および第１５の実施形態による積層コンデンサ６１ａおよび６１ｂを説明するための図１９に対応する図である。図２２および図２３において、図１９に示す要素に相当する要素には同様の参照符号を付し、重複する説明は省略する。
【０１２５】
前述した第１３の実施形態による積層コンデンサ６１の場合には、実装面６４と直交する方向に誘電体層７２ならびに内部電極７３〜７６が延びるようにされているので、第１の実施形態による積層コンデンサ１の場合のように、実装面６４と内部電極との距離が及ぼすＥＳＬへの影響を考慮する必要がない。したがって、第１および第２のコンデンサ部６２および６３の配置に関して、図１９に示すような配置状態の他、図２２および図２３にそれぞれ示すような配置状態をも問題なく採用することができる。
【０１２６】
以上、この発明を図示した実施形態に関連して説明したが、この発明の範囲内において、その他種々の変形例が可能である。
【０１２７】
たとえば、内部電極に形成される引出し部の位置や数あるいは外部端子電極の位置や数については、さらに種々に変更することができる。
【０１２８】
また、コンデンサ本体における第１および第２のコンデンサ部の配置については、後述する実験例からもわかるように、図示した実施形態での配置以外のものも可能である。
【０１２９】
また、たとえば第１の実施形態では、第１および第２の内部電極１３および１４が第１のコンデンサ部１１を構成するためだけに設けられ、かつ第３および第４の内部電極１５および１６が第２のコンデンサ部１２を構成するためだけに設けられたが、第１のコンデンサ部と第２のコンデンサ部との境界部に位置する内部電極が、第１および第２のコンデンサ部の双方のための内部電極として、すなわち、第１または第２の内部電極と第３または第４の内部電極とを兼ねる内部電極として設けられてもよい。
【０１３０】
次に、この発明による効果を確認するために実施した実験例について説明する。
【０１３１】
この実験例では、周知のように、複数のセラミックグリーンシートを用意し、特定のセラミックグリーンシート上に、引出し部を有する内部電極を導電性ペーストの印刷によって形成し、内部電極が形成されたセラミックグリーンシートを含む複数のセラミックグリーンシートを積層し、得られた積層体を焼成してコンデンサ本体を得、このコンデンサ本体の外表面上に外部端子電極を導電性ペーストの焼付けによって形成するという各工程を経て、表１に示した各試料に係る積層コンデンサを作製した。
【０１３２】
各試料に係る積層コンデンサについて、コンデンサ本体の寸法は２．０ｍｍ×１．２５ｍｍ×０．５ｍｍとし、内部電極の総積層数を６４とし、静電容量を０．６８μＦとし、図１等に示した実施形態の場合と同様、外部端子電極の数を１４とした。また、内部電極の厚みを１μｍとし、引出し部の厚みを１μｍとし、引出し部の幅を１５０μｍとした。
【０１３３】
【表１】
2007235170.tif 000003
【０１３４】
表１において、「積層配置状態」の欄に示されたＡ〜Ｅは、図２４の（Ａ）〜（Ｅ）にそれぞれ対応している。図２４には、第１および第２のコンデンサ部についての積層方向での配置状態が示されている。なお、図２４において、参照符号「３５」を付した部分は、いずれの内部電極も形成されない外層部を示している。また、図２４において、図示された積層構造物の各下面が実装面側に向いている。
【０１３５】
表１の「第１のコンデンサ部」の欄には、「内部電極パターン」、「積層数」、「第１の引出し部数」、「第２の引出し部数」および「引出し部の対の数」が示され、「第２のコンデンサ部」の欄には、「内部電極パターン」、「積層数」、「第３の引出し部数」、「第４の引出し部数」および「引出し部の対の数」が示されている。
【０１３６】
それぞれの「内部電極パターン」の欄には、各試料において採用された内部電極パターンを図示する図面の番号が引用されている。なお、試料１１の「第１のコンデンサ部」における「内部電極パターン」の欄に引用された「図２５」、試料１１の「第２のコンデンサ部」における「内部電極パターン」の欄に引用された「図２６」、試料１２の「第１のコンデンサ部」における「内部電極パターン」の欄に引用された「図２７」、試料１２の「第２のコンデンサ部」における「内部電極パターン」の欄に引用された「図２８」、ならびに試料１３の「第２のコンデンサ部」における「内部電極パターン」の欄に引用された「図２９」については、それぞれ、添付の図２５、図２６、図２７、図２８および図２９に示すような内部電極パターンを採用したものである。
【０１３７】
図２５（ａ）には、７つの第１の引出し部１７を有する第１の内部電極１３が図示され、図２５（ｂ）には、２つの第２の引出し部１８を有する第２の内部電極１４が図示されている。
【０１３８】
図２６（ａ）には、２つの第３の引出し部２１を有する第３の内部電極１５が図示され、図２６（ｂ）には、７つの第４の引出し部２２を有する第４の内部電極１６が図示されている。
【０１３９】
図２７には、２つの第１の引出し部１７を有する第１の内部電極１３と２つの第２の引出し部１８を有する第２の内部電極１４とが図示されている。図２７において、（１）〜（１４）は、積層順序を示している。
【０１４０】
図２８には、１つの第３の引出し部２１を有する第３の内部電極１５と１つの第４の引出し部２２を有する第４の内部電極１６とが図示されている。図２８において、（１）〜（１４）は、積層順序を示している。
【０１４１】
図２９には、１つの第３の引出し部２１を有する第３の内部電極１５と１つの第４の引出し部２２を有する第４の内部電極１６とが図示されるとともに、第３および第４の引出し部２１および２２にそれぞれ電気的に接続される第３および第４の外部端子電極３１および３２が図示されている。図２９において、（１）〜（１４）は、積層順序を示している。
【０１４２】
再び表１を参照して、「積層数」は、「第１のコンデンサ部」にあっては、第１および第２の内部電極の合計積層数を示し、「第２のコンデンサ部」にあっては、第３および第４の内部電極の合計積層数を示している。また、「第１のコンデンサ部」の「積層数」の欄における「上」および「下」の表示は、図２４（ｂ）における「第１のコンデンサ部（上）」および「第１のコンデンサ部（下）」にそれぞれ対応している。
【０１４３】
また、「第１のコンデンサ部」における「第１の引出し部数」、「第２の引出し部数」および「引出し部の対の数」は、それぞれ、１つの第１の内部電極についての引出し部の数、１つの第２の内部電極についての引出し部の数、ならびに１対の第１および第２の内部電極についての第１および第２の引出し部の対の数を示している。
【０１４４】
他方、「第２のコンデンサ部」における「第３の引出し部数」、「第４の引出し部数」および「引出し部の対の数」は、それぞれ、１つの第３の内部電極についての引出し部の数、１つの第４の内部電極についての引出し部の数、ならびに１対の第３および第４の内部電極についての第３および第４の引出し部の対の数を示している。
【０１４５】
表１に示すような設計とされた試料１〜１３の各々について求められた「ＥＳＬ値」および「ＥＳＲ値」が、表２に示されている。
【０１４６】
【表２】
2007235170.tif 000004
【０１４７】
表１および表２において、試料番号に＊を付したものは、この発明の範囲外の比較例である。
【０１４８】
比較例としての試料１では、表１に示すように、高ＥＳＲ化に寄与する第２のコンデンサ部を備えないため、表２に示すように、低ＥＳＬ化を図ることができるものの、高ＥＳＲ化を図ることができない。
【０１４９】
試料１とは対照的な比較例としての試料９では、表１に示すように、低ＥＳＬ化に寄与する第１のコンデンサ部を備えないため、表２に示すように、高ＥＳＲ化を図ることができるものの、低ＥＳＬ化を図ることができない。
【０１５０】
また、比較例としての試料１１では、表１に示すように、「第２のコンデンサ部」における「引出し部の対の数」が、「第１のコンデンサ部」における「引出し部の対の数」と等しいため、第１のコンデンサ部と第２のコンデンサ部とが同じ構造になる。その結果、ＥＳＬ値については、本発明の実施例で引出し部数が最も少ない試料１２とほとんど変わらない程度の４６ｐＨのＥＳＬ値しか得られず、ＥＳＲ値については、本発明の実施例で最も低い試料２と同程度の１３．３ｍΩしか得られていない。これは、以下の理由による。
【０１５１】
まず、ＥＳＬについては、第１のコンデンサ部の引出し部の対の数が２対であり、第２のコンデンサ部の引出し部の対の数も２対であることにより、試料１２のＥＳＬ値と同程度しか得られない。これは、第１の引出し部数が７でも、対の数としては２対しかないためである。
【０１５２】
一方、ＥＳＲについては、第１のコンデンサ部および第２のコンデンサ部を構成する内部電極の引出し部数が増えることから、１層あたりのＥＳＲは試料１３に比べて大きく低下する。さらに、これらの積層によってＥＳＲが並列に接続されることにより、さらにＥＳＲが低下することになった結果である。
【０１５３】
以上のように、第１のコンデンサ部と第２のコンデンサ部が同じ構造の場合は、効果的にＥＳＲを高くすることができない。
【０１５４】
また、この高周波側の周波数特性の改善効果に加えて、この発明の範囲内にある実施例としての試料２〜１０および１２では、表１に示すように、第１および第２のコンデンサ部の双方を備え、かつ「第２のコンデンサ部」における「引出し部の対の数」が、「第１のコンデンサ部」における「引出し部の対の数」より少ないため、表２に示すように、低ＥＳＬ化および高ＥＳＲ化の双方が図られている。
【０１５５】
また、試料２〜９については、ＥＳＬ値は試料１とほぼ同程度の値が得られている。これは、高周波域においては、実装面側に電界が集中し、図２に示す破線の矢印２８のようなループでの特性が最も影響されるようになり、引出し部数の多い第１のコンデンサ部が実装面側に積層配置されている試料２〜９では、第１のコンデンサ部の低いＥＳＬの値が支配的になった結果である。
【０１５６】
これに対して、実装面側に第２のコンデンサ部が配置された試料１０においては、試料２〜９と比較すると、ＥＳＬ値が高くなっている。なお、試料１０の構成でも、試料１３と比較した場合、第１のコンデンサ部が存在する分、ＥＳＬ値を低くすることができている。
【０１５７】
また、同じ積層配置状態で第１のコンデンサ部の積層数を変化させた試料２〜５では、ＥＳＬ値はほぼ同程度であることから、ＥＳＬ値に対する、第１のコンデンサ部の積層数による影響は少ないことがわかる。これは、試料２〜５と異なる積層配置状態の試料６〜９でも同様である。
【０１５８】
一方、ＥＳＲ値については、積層コンデンサ全体の全体積層数に対する第２のコンデンサ部の積層数が増加するほど、ＥＳＲ値は高くなっている。また、第２のコンデンサ部の積層数が同じ試料５、試料９、試料１０および試料１２を比較すると、第３および第４の引出し部数が２である試料５に対して、第３および第４の引出し部数が１である試料９、試料１０および試料１２の方が、ＥＳＲ値は高くなっている。また、試料９および試料１０では、試料１３よりもＥＳＲ値が高くなっている。これは、第１のコンデンサ部のＥＳＲ値と第２のコンデンサ部のＥＳＲ値とがともに試料１３のＥＳＲ値よりも高くなった結果、第１のコンデンサ部と第２のコンデンサ部とでは共振周波数が異なることによって、積層コンデンサのＥＳＲ値としても、試料１３のＥＳＲ値よりも高くなるためである。
【０１５９】
試料９および１０間で比較すると、ほぼ同じ程度のＥＳＲ値であり、積層配置状態が異なっても、第２のコンデンサ部の積層数が同じであれば、ＥＳＲ値はほとんど変化しない傾向にあることがわかる。
【図面の簡単な説明】
【０１６０】
【図１】この発明の第１の実施形態による積層コンデンサ１の外観を示す斜視図である。
【図２】図１に示した積層コンデンサ１の実装状態を示す断面図であり、積層コンデンサ１については、図３および図４の線ＩＩ−ＩＩに沿う断面をもって示している。
【図３】図２に示した第１のコンデンサ部１１の内部構造を示す平面図であり、（ａ）は、第１の内部電極１３が通る断面を示し、（ｂ）は、第２の内部電極１４が通る断面を示している。
【図４】図２に示した第２のコンデンサ部１２の内部構造を示す平面図であり、（ａ）は、第３の内部電極１５が通る断面を示し、（ｂ）は、第４の内部電極１６が通る断面を示している。
【図５】図１に示した積層コンデンサ１が与える等価回路を模式的に示す図である。
【図６】図１に示した積層コンデンサ１をデカップリングコンデンサとして用いているＭＰＵの回路構成を示す図である。
【図７】この発明の第２の実施形態による積層コンデンサ１ａを説明するための図４に対応する図である。
【図８】この発明の第３の実施形態による積層コンデンサ１ｂを説明するための図４に対応する図である。
【図９】この発明の第４の実施形態による積層コンデンサ１ｃを説明するためのもので、（ａ）および（ｂ）は、それぞれ、図３（ａ）および（ｂ）に対応し、（ｃ）および（ｄ）は、それぞれ、図４（ａ）および（ｂ）に対応している。
【図１０】この発明の第５の実施形態による積層コンデンサ１ｄを説明するためのもので、（ａ）および（ｂ）は、それぞれ、図３（ａ）および（ｂ）に対応し、（ｃ）および（ｄ）は、それぞれ、図４（ａ）および（ｂ）に対応している。
【図１１】この発明の第６の実施形態による積層コンデンサ１ｅを説明するための図３に対応する図である。
【図１２】この発明の第７の実施形態による積層コンデンサ１ｆを説明するための図４に対応する図である。
【図１３】この発明の第８の実施形態による積層コンデンサ１ｇを説明するための誘電体層９の平面図である。
【図１４】この発明の第９の実施形態による積層コンデンサ１ｈを説明するための図３に対応する図である。
【図１５】この発明の第１０の実施形態による積層コンデンサ１ｉを説明するための図４に対応する図である。
【図１６】この発明の第１１の実施形態による積層コンデンサ１ｊを説明するための図３に対応する図である。
【図１７】この発明の第１２の実施形態による積層コンデンサ１ｋを説明するための図４に対応する図である。
【図１８】この発明の第１３の実施形態による積層コンデンサ６１の外観を示す斜視図である。
【図１９】図１８に示した積層コンデンサ６１における第１および第２のコンデンサ部６２および６３の配置状態を図解的に示す側面図である。
【図２０】図１９に示した第１のコンデンサ部６２の内部構造を示す誘電体層７２の平面図であり、（ａ）は、第１の内部電極７３が通る断面を示し、（ｂ）は、第２の内部電極７４が通る断面を示している。
【図２１】図１９に示した第２のコンデンサ部６３の内部構造を示す誘電体層７２の平面図であり、（ａ）は、第３の内部電極７５が通る断面を示し、（ｂ）は、第４の内部電極７６が通る断面を示している。
【図２２】この発明の第１４の実施形態による積層コンデンサ６１ａを説明するための図１９に対応する図である。
【図２３】この発明の第１５の実施形態による積層コンデンサ６１ｂを説明するための図１９に対応する図である。
【図２４】この発明による効果を確認するために実施した実験例において採用された第１のコンデンサ部と第２のコンデンサ部とについての積層配置状態のいくつかの例を図解的に示す図である。
【図２５】上記実験例において作製された試料１１の第１のコンデンサ部における内部電極パターンを示す平面図である。
【図２６】上記実験例において作製された試料１１の第２のコンデンサ部における内部電極パターンを示す平面図である。
【図２７】上記実験例において作製された試料１２の第１のコンデンサ部における内部電極パターンを示す平面図である。
【図２８】上記実験例において作製された試料１２の第２のコンデンサ部における内部電極パターンを示す平面図である。
【図２９】上記実験例において作製された試料１３の第２のコンデンサ部における内部電極パターンを示す平面図である。
【符号の説明】
【０１６１】
１，１ａ，１ｂ，１ｃ，１ｄ，１ｅ，１ｆ，１ｇ，１ｈ，１ｉ，１ｊ，１ｋ，６１，６１ａ，６１ｂ  積層コンデンサ
２，３，６５，６６  主面
４〜７，６７〜７０  側面
８，７１  コンデンサ本体
９，７２  誘電体層
１１，６２  第１のコンデンサ部
１２，６３  第２のコンデンサ部
１３，７３  第１の内部電極
１４，７４  第２の内部電極
１５，７５  第３の内部電極
１６，７６  第４の内部電極
１７，７７  第１の引出し部
１８，７８  第２の引出し部
１９，７９  第１の外部端子電極
２０，８０  第２の外部端子電極
２１，８１  第３の引出し部
２２，８２  第４の引出し部
２５，６４  実装面
３１  第３の外部端子電極
３２  第４の外部端子電極
【図１】
2007235170.tif 000005
【図２】
2007235170.tif 000006
【図３】
2007235170.tif 000007
【図４】
2007235170.tif 000008
【図５】
2007235170.tif 000009
【図６】
2007235170.tif 000010
【図７】
2007235170.tif 000011
【図８】
2007235170.tif 000012
【図９】
2007235170.tif 000013
【図１０】
2007235170.tif 000014
【図１１】
2007235170.tif 000015
【図１２】
2007235170.tif 000016
【図１３】
2007235170.tif 000017
【図１４】
2007235170.tif 000018
【図１５】
2007235170.tif 000019
【図１６】
2007235170.tif 000020
【図１７】
2007235170.tif 000021
【図１８】
2007235170.tif 000022
【図１９】
2007235170.tif 000023
【図２０】
2007235170.tif 000024
【図２１】
2007235170.tif 000025
【図２２】
2007235170.tif 000026
【図２３】
2007235170.tif 000027
【図２４】
2007235170.tif 000028
【図２５】
2007235170.tif 000029
【図２６】
2007235170.tif 000030
【図２７】
2007235170.tif 000031
【図２８】
2007235170.tif 000032
【図２９】
2007235170.tif 000033
【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
積層された複数の誘電体層をもって構成される積層構造を有するコンデンサ本体を備え、
前記コンデンサ本体は、第１および第２のコンデンサ部を構成していて、
前記第１のコンデンサ部は、静電容量を形成するように所定の前記誘電体層を介して互いに対向する少なくとも１対の第１および第２の内部電極を含み、
前記第１の内部電極には、前記コンデンサ本体の外表面にまで引き出される複数の第１の引出し部が形成され、かつ、前記第２の内部電極には、前記コンデンサ本体の外表面にまで引き出される複数の第２の引出し部が形成され、
前記第２のコンデンサ部は、静電容量を形成するように所定の前記誘電体層を介して互いに対向する第３および第４の内部電極を含み、前記第３の内部電極は２個以上形成され、
前記第３の内部電極には、前記コンデンサ本体の外表面にまで引き出される少なくとも１つの第３の引出し部が形成され、かつ、前記第４の内部電極には、前記コンデンサ本体の外表面にまで引き出される少なくとも１つの第４の引出し部が形成され、
前記コンデンサ本体の外表面上には、前記第１、第２、第３および第４の引出し部に、直接、それぞれ電気的に接続される第１、第２、第３および第４の外部端子電極が形成され、前記第３の外部端子電極は２個以上形成され、
１対の前記第３および第４の内部電極についての前記第３および第４の引出し部の対の数は、１対の前記第１および第２の内部電極についての前記第１および第２の引出し部の対の数より少なく、
前記第１、第２、第３および第４の外部端子電極は、前記誘電体層の積層方向に沿って延びるように、かつ、前記第１および第２のコンデンサ部の双方にかかるようにして形成され、
前記第２のコンデンサ部における、前記第３の内部電極、前記第４の内部電極、前記第３の内部電極の順に連続する３個１組の任意の内部電極群について、一方の第３の内部電極に接続される前記第３の外部端子電極と他方の第３の内部電極に接続される前記第３の外部端子電極とは互いに異なっている、
積層コンデンサ。
【請求項２】
各々１つの前記第３および第４の内部電極についての前記第３および第４の引出し部の少なくとも一方の数は、各々１つの前記第１および第２の内部電極についての前記第１および第２の引出し部の各々の数より少ない、請求項１に記載の積層コンデンサ。
【請求項３】
各々１つの前記第３および第４の内部電極についての前記第３および第４の引出し部の各々の数は、各々１つの前記第１および第２の内部電極についての前記第１および第２の引出し部の各々の数より少ない、請求項１に記載の積層コンデンサ。
【請求項４】
前記第１および第２の外部端子電極の少なくとも一方は、前記第３および第４の外部端子電極の少なくとも一方と共通である、請求項１ないし３のいずれかに記載の積層コンデンサ。
【請求項５】
前記第１および第２の外部端子電極は、交互に配置される、請求項１ないし４のいずれかに記載の積層コンデンサ。
【請求項６】
前記コンデンサ本体において、前記第１のコンデンサ部と前記第２のコンデンサ部とは積層方向に並ぶように配置されるとともに、前記第１のコンデンサ部が積層方向での少なくとも一方端に位置される、請求項１ないし５のいずれかに記載の積層コンデンサ。
【請求項７】
前記コンデンサ本体において、前記第２のコンデンサ部が２つの前記第１のコンデンサ部によって積層方向に挟まれるように配置される、請求項６に記載の積層コンデンサ。
【請求項８】
前記コンデンサ本体は、相対向する２つの主面および前記２つの主面間を連結する４つの側面を有する直方体状をなしていて、前記誘電体層は、前記主面の方向に延びており、前記外部端子電極は、４つの前記側面上に形成される、請求項１ないし７のいずれかに記載の積層コンデンサ。
【請求項９】
前記主面は、４つの前記側面のいずれよりも大きい面積を有していて、前記主面のいずれか一方が所定の実装面側に向けられた状態で実装される、請求項８に記載の積層コンデンサ。
【請求項１０】
前記コンデンサ本体は、相対向する２つの主面および前記２つの主面間を連結する４つの側面を有する直方体状をなしていて、前記外部端子電極は、互いに対向する２つの前記側面上にのみ形成される、請求項１ないし７のいずれかに記載の積層コンデンサ。
【請求項１１】
前記主面は、４つの前記側面のいずれよりも大きい面積を有していて、前記主面のいずれか一方が所定の実装面側に向けられた状態で実装される、請求項１０に記載の積層コンデンサ。
【請求項１２】
前記外部端子電極が形成された前記側面は、前記主面および残りの前記側面のいずれよりも大きい面積を有していて、前記外部端子電極が形成された前記側面のいずれか一方が所定の実装面側に向けられた状態で実装される、請求項１０に記載の積層コンデンサ。
【請求項１３】
請求項６または７に記載の積層コンデンサが所定の実装面上に実装された構造であって、前記第１のコンデンサ部が前記実装面により近い側に位置するように前記コンデンサ本体を向けた状態で、前記積層コンデンサが実装される、積層コンデンサの実装構造。
【請求項１４】
相対向する２つの主面および前記２つの主面間を連結する４つの側面を有する直方体状をなし、前記主面の方向に延びる誘電体層が複数積層された積層構造を有するコンデンサ本体を備え、
前記コンデンサ本体は、前記誘電体層の積層方向に並ぶように配置された第１および第２のコンデンサ部を構成していて、
前記第１のコンデンサ部は、静電容量を形成するように所定の前記誘電体層を介して互いに対向する少なくとも１対の第１および第２の内部電極を含み、
前記第１の内部電極には、前記コンデンサ本体の前記側面にまで引き出される複数の第１の引出し部が形成され、かつ、前記第２の内部電極には、前記コンデンサ本体の前記側面にまで引き出される複数の第２の引出し部が形成され、
前記第２のコンデンサ部は、静電容量を形成するように所定の前記誘電体層を介して互いに対向する第３および第４の内部電極を含み、前記第３の内部電極は２個以上形成され、
前記第３の内部電極には、前記コンデンサ本体の前記側面にまで引き出される少なくとも１つの第３の引出し部が形成され、かつ、前記第４の内部電極には、前記コンデンサ本体の前記側面にまで引き出される少なくとも１つの第４の引出し部が形成され、
前記コンデンサ本体の互いに対向する２つの前記側面上にのみ、前記誘電体層の積層方向に沿って延びるように、かつ、前記第１および第２のコンデンサ部の双方にかかるようにして、第１および第２の外部端子電極が形成され、
前記第１の外部端子電極は、前記第１の引出し部および前記第３の引出し部に直接電気的に接続され、前記第２の引出し部および前記第４の引出し部とは電気的に絶縁され、
前記第２の外部端子電極は、前記第２の引出し部および前記第４の引出し部に直接電気的に接続され、前記第１の引出し部および前記第３の引出し部とは電気的に絶縁され、
前記第２のコンデンサ部における、前記第３の内部電極、前記第４の内部電極、前記第３の内部電極の順に連続する３個１組の任意の内部電極群について、一方の第３の内部電極に接続される前記第１の外部端子電極と他方の第３の内部電極に接続される前記第１の外部端子電極とは互いに異なり、
１対の前記第３および第４の内部電極についての前記第３および第４の引出し部の対の数は、１対の前記第１および第２の内部電極についての前記第１および第２の引出し部の対の数より少ない、
積層コンデンサ。
【請求項１５】
前記第１および第２の外部端子電極は、交互に配置される、請求項１４に記載の積層コンデンサ。
【請求項１６】
相対向する２つの主面および前記２つの主面間を連結する４つの側面を有する直方体状をなし、前記主面の方向に延びる誘電体層が複数積層された積層構造を有するコンデンサ本体を備え、
前記コンデンサ本体は、前記誘電体層の積層方向に並ぶように配置された第１および第２のコンデンサ部を構成していて、
前記第１のコンデンサ部は、静電容量を形成するように所定の前記誘電体層を介して互いに対向する少なくとも１対の第１および第２の内部電極を含み、
前記第１の内部電極には、前記コンデンサ本体の前記側面にまで引き出される複数の第１の引出し部が形成され、かつ、前記第２の内部電極には、前記コンデンサ本体の前記側面にまで引き出される複数の第２の引出し部が形成され、
前記第２のコンデンサ部は、静電容量を形成するように所定の前記誘電体層を介して互いに対向する第３および第４の内部電極を含み、前記第３の内部電極は２個以上形成され、
前記第３の内部電極には、前記コンデンサ本体の前記側面にまで引き出される少なくとも１つの第３の引出し部が形成され、かつ、前記第４の内部電極には、前記コンデンサ本体の前記側面にまで引き出される少なくとも１つの第４の引出し部が形成され、
前記コンデンサ本体の互いに対向する２つの前記側面上に、前記誘電体層の積層方向に沿って延びるように、かつ、前記第１および第２のコンデンサ部の双方にかかるようにして、第１および第２の外部端子電極が形成され、
前記コンデンサ本体の互いに対向する残りの２つの前記側面上に、前記誘電体層の積層方向に沿って延びるように、かつ、前記第１および第２のコンデンサ部の双方にかかるようにして、第１および第２の外部端子電極が形成され、
前記第１の外部端子電極は、前記第１の引出し部および前記第３の引出し部に直接電気的に接続され、前記第２の引出し部および前記第４の引出し部とは電気的に絶縁され、
前記第２の外部端子電極は、前記第２の引出し部および前記第４の引出し部に直接電気的に接続され、前記第１の引出し部および前記第３の引出し部とは電気的に絶縁され、
前記第２のコンデンサ部における、前記第３の内部電極、前記第４の内部電極、前記第３の内部電極の順に連続する３個１組の任意の内部電極群について、一方の第３の内部電極に接続される前記第１の外部端子電極と他方の第３の内部電極に接続される前記第１の外部端子電極とは互いに異なり、
１対の前記第３および第４の内部電極についての前記第３および第４の引出し部の対の数は、１対の前記第１および第２の内部電極についての前記第１および第２の引出し部の対の数より少ない、
積層コンデンサ。
【請求項１７】
前記第１および第２の外部端子電極は、交互に配置される、請求項１６に記載の積層コンデンサ。
【手続補正２】
【補正対象書類名】明細書
【補正対象項目名】全文
【補正方法】変更
【補正の内容】
【発明の詳細な説明】
【技術分野】
【０００１】
この発明は、積層コンデンサおよびその実装構造に関するもので、特に、高周波回路において有利に適用される積層コンデンサおよびその実装構造に関するものである。
【背景技術】
【０００２】
数ＧＨｚのような高周波領域において、ＭＰＵ（マイクロプロセッシングユニット）等のための電源回路に用いられるデカップリングコンデンサとして、たとえば特開平１１−１４４９９６号公報（特許文献１）に記載のような構造の積層コンデンサが知られている。この積層コンデンサによれば、多端子構造にしながら、隣り合う端子を逆極性にすることによって、正極から負極への電流の流れを短くし、電流の流れを多様にし、さらに、電流の方向を互いに逆方向に向けるようにして磁束の相殺を行ない、それによって、ＥＳＬ（等価直列インダクタンス）の低減が図られている。
【０００３】
しかしながら、上記特許文献１に記載の積層コンデンサによれば、ＥＳＬの低下に伴って、ＥＳＲ（等価直列抵抗）も低下するため、インピーダンス特性が急峻になるという問題を有している。
【０００４】
他方、特開２００１−２８４１７０号公報（特許文献２）では、コンデンサ本体の内部に静電容量を形成するために設けられる内部電極の各々について、コンデンサ本体の表面にまで引き出されかつ外部端子電極に電気的に接続される引き出し部の数を単に１つとすることによって、積層コンデンサのＥＳＲを高めることが提案されている。
【０００５】
しかしながら、特許文献２に記載の構造によれば、ＥＳＲを高くすることができるものの、それに伴って、ＥＳＬが高くなり、高周波側の特性が劣化するという問題がある。
【特許文献１】特開平１１−１４４９９６号公報
【特許文献２】特開２００１−２８４１７０号公報
【発明の開示】
【発明が解決しようとする課題】
【０００６】
そこで、この発明の目的は、低ＥＳＬ化を図りながらも、高ＥＳＲ化を図ることができる、積層コンデンサを提供しようとすることである。
【０００７】
この発明の他の目的は、上述のように低ＥＳＬ化が図られた積層コンデンサの低ＥＳＬ特性を十分に発揮させることができる、積層コンデンサの実装構造を提供しようとすることである。
【課題を解決するための手段】
【０００８】
この発明に係る積層コンデンサは、積層された複数の誘電体層をもって構成される積層構造を有するコンデンサ本体を備えている。この発明では、上述した技術的課題を解決するため、積層コンデンサが、次のように構成されることを特徴としている。
【０００９】
すなわち、積層コンデンサに備えるコンデンサ本体は、第１および第２のコンデンサ部を構成している。
【００１０】
第１のコンデンサ部は、静電容量を形成するように所定の誘電体層を介して互いに対向する少なくとも１対の第１および第２の内部電極を含み、第１の内部電極には、コンデンサ本体の外表面にまで引き出される複数の第１の引出し部が形成され、かつ、第２の内部電極には、コンデンサ本体の外表面にまで引き出される複数の第２の引出し部が形成される。
【００１１】
他方、第２のコンデンサ部は、静電容量を形成するように所定の誘電体層を介して互いに対向する第３および第４の内部電極を含み、第３の内部電極は２個以上形成され、第３の内部電極には、コンデンサ本体の外表面にまで引き出される少なくとも１つの第３の引出し部が形成され、かつ、第４の内部電極には、コンデンサ本体の外表面にまで引き出される少なくとも１つの第４の引出し部が形成される。
【００１２】
コンデンサ本体の外表面上には、上記第１、第２、第３および第４の引出し部に、直接、それぞれ電気的に接続される第１、第２、第３および第４の外部端子電極が形成される。第３の外部端子電極は２個以上形成される。
【００１３】
そして、１対の第３および第４の内部電極についての第３および第４の引出し部の対の数が、１対の第１および第２の内部電極についての第１および第２の引出し部の対の数より少なくされることを特徴とするとともに、第１、第２、第３および第４の外部端子電極は、誘電体層の積層方向に沿って延びるように、かつ、第１および第２のコンデンサ部の双方にかかるようにして形成されていることを特徴とし、さらに、第２のコンデンサ部における、第３の内部電極、第４の内部電極、第３の内部電極の順に連続する３個１組の任意の内部電極群について、一方の第３の内部電極に接続される第３の外部端子電極と他方の第３の内部電極に接続される第３の外部端子電極とは互いに異なっていることを特徴としている。
【００１４】
この発明に係る積層コンデンサにおいて、典型的には、各々１つの第３および第４の内部電極についての第３および第４の引出し部の少なくとも一方の数が、各々１つの第１および第２の内部電極についての第１および第２の引出し部の各々の数より少なくされる。
【００１５】
この発明に係る積層コンデンサにおいて、好ましくは、各々１つの第３および第４の内部電極についての第３および第４の引出し部の各々の数は、各々１つの第１および第２の内部電極についての第１および第２の引出し部の各々の数より少なくされる。
【００１６】
第１および第２の外部端子電極の少なくとも一方は、第３および第４の外部端子電極の少なくとも一方と共通であってもよい。
【００１７】
第１および第２の外部端子電極は、交互に配置されることが好ましい。
【００１８】
コンデンサ本体において、第１のコンデンサ部と第２のコンデンサ部とは積層方向に並ぶように配置されるとともに、第１のコンデンサ部が積層方向での少なくとも一方端に位置されることが好ましい。この場合、コンデンサ本体において、第２のコンデンサ部が２つの第１のコンデンサ部によって積層方向に挟まれるように配置されることがより好ましい。
【００１９】
この発明の特定的な実施態様では、コンデンサ本体は、相対向する２つの主面および２つの主面間を連結する４つの側面を有する直方体状をなしていて、誘電体層は、主面の方向に延びており、外部端子電極は、４つの側面上に形成される。この実施態様において、主面が、４つの側面のいずれよりも大きい面積を有しているとき、主面のいずれか一方が所定の実装面側に向けられた状態で実装されることが好ましい。
【００２０】
この発明の特定的な他の実施態様では、コンデンサ本体は、相対向する２つの主面および２つの主面間を連結する４つの側面を有する直方体状をなしていて、外部端子電極は、互いに対向する２つの側面上にのみ形成される。この実施態様において、主面が、４つの側面のいずれよりも大きい面積を有しているとき、主面のいずれか一方が所定の実装面側に向けられた状態で実装され、また、外部端子電極が形成された側面が、主面および残りの側面のいずれよりも大きい面積を有しているとき、外部端子電極が形成された側面のいずれか一方が所定の実装面側に向けられた状態で実装されることが好ましい。
【００２１】
この発明は、また、上述した第１および第２のコンデンサ部の積層方向での配置についての好ましい実施態様に係る積層コンデンサが所定の実装面上に実装された、積層コンデンサの実装構造にも向けられる。この発明に係る積層コンデンサの実装構造は、第１のコンデンサ部が実装面により近い側に位置するようにコンデンサ本体を向けた状態で、積層コンデンサが実装されることを特徴としている。
【００２２】
この発明に係る積層コンデンサは、より具体的な第１の実施態様では、相対向する２つの主面および２つの主面間を連結する４つの側面を有する直方体状をなし、主面の方向に延びる誘電体層が複数積層された積層構造を有するコンデンサ本体を備え、コンデンサ本体は、誘電体層の積層方向に並ぶように配置された第１および第２のコンデンサ部を構成していて、第１のコンデンサ部は、静電容量を形成するように所定の誘電体層を介して互いに対向する少なくとも１対の第１および第２の内部電極を含み、第１の内部電極には、コンデンサ本体の側面にまで引き出される複数の第１の引出し部が形成され、かつ、第２の内部電極には、コンデンサ本体の側面にまで引き出される複数の第２の引出し部が形成され、第２のコンデンサ部は、静電容量を形成するように所定の誘電体層を介して互いに対向する第３および第４の内部電極を含み、第３の内部電極は２個以上形成され、第３の内部電極には、コンデンサ本体の側面にまで引き出される少なくとも１つの第３の引出し部が形成され、かつ、第４の内部電極には、コンデンサ本体の側面にまで引き出される少なくとも１つの第４の引出し部が形成され、コンデンサ本体の互いに対向する２つの側面上にのみ、誘電体層の積層方向に沿って延びるように、かつ、第１および第２のコンデンサ部の双方にかかるようにして、第１および第２の外部端子電極が形成され、第１の外部端子電極は、第１の引出し部および第３の引出し部に直接電気的に接続され、第２の引出し部および第４の引出し部とは電気的に絶縁され、第２の外部端子電極は、第２の引出し部および第４の引出し部に直接電気的に接続され、第１の引出し部および第３の引出し部とは電気的に絶縁され、第２のコンデンサ部における、第３の内部電極、第４の内部電極、第３の内部電極の順に連続する３個１組の任意の内部電極群について、一方の第３の内部電極に接続される第１の外部端子電極と他方の第３の内部電極に接続される第１の外部端子電極とは互いに異なり、１対の第３および第４の内部電極についての第３および第４の引出し部の対の数は、１対の第１および第２の内部電極についての第１および第２の引出し部の対の数より少ないことを特徴としている。
【００２３】
この発明に係る積層コンデンサは、より具体的な第２の実施態様では、相対向する２つの主面および２つの主面間を連結する４つの側面を有する直方体状をなし、主面の方向に延びる誘電体層が複数積層された積層構造を有するコンデンサ本体を備え、コンデンサ本体は、誘電体層の積層方向に並ぶように配置された第１および第２のコンデンサ部を構成していて、第１のコンデンサ部は、静電容量を形成するように所定の誘電体層を介して互いに対向する少なくとも１対の第１および第２の内部電極を含み、第１の内部電極には、コンデンサ本体の側面にまで引き出される複数の第１の引出し部が形成され、かつ、第２の内部電極には、コンデンサ本体の側面にまで引き出される複数の第２の引出し部が形成され、第２のコンデンサ部は、静電容量を形成するように所定の誘電体層を介して互いに対向する第３および第４の内部電極を含み、第３の内部電極は２個以上形成され、第３の内部電極には、コンデンサ本体の側面にまで引き出される少なくとも１つの第３の引出し部が形成され、かつ、第４の内部電極には、コンデンサ本体の側面にまで引き出される少なくとも１つの第４の引出し部が形成され、コンデンサ本体の互いに対向する２つの側面上に、誘電体層の積層方向に沿って延びるように、かつ、第１および第２のコンデンサ部の双方にかかるようにして、第１および第２の外部端子電極が形成され、コンデンサ本体の互いに対向する残りの２つの側面上に、誘電体層の積層方向に沿って延びるように、かつ、第１および第２のコンデンサ部の双方にかかるようにして、第１および第２の外部端子電極が形成され、第１の外部端子電極は、第１の引出し部および第３の引出し部に直接電気的に接続され、第２の引出し部および第４の引出し部とは電気的に絶縁され、第２の外部端子電極は、第２の引出し部および第４の引出し部に直接電気的に接続され、第１の引出し部および第３の引出し部とは電気的に絶縁され、第２のコンデンサ部における、第３の内部電極、第４の内部電極、第３の内部電極の順に連続する３個１組の任意の内部電極群について、一方の第３の内部電極に接続される第１の外部端子電極と他方の第３の内部電極に接続される第１の外部端子電極とは互いに異なり、１対の第３および第４の内部電極についての第３および第４の引出し部の対の数は、１対の第１および第２の内部電極についての第１および第２の引出し部の対の数より少ないことを特徴としている。
【発明の効果】
【００２４】
この発明に係る積層コンデンサによれば、コンデンサ本体を第１のコンデンサ部と第２のコンデンサ部とに分割し、第２のコンデンサ部にある１対の第３および第４の内部電極についての第３および第４の引出し部の対の数を、第１のコンデンサ部にある１対の第１および第２の内部電極についての第１および第２の引出し部の対の数より少なくしているので、第１のコンデンサ部において、より低ＥＳＬ化を図ることができ、その結果、第１のコンデンサ部の共振周波数を第２のコンデンサ部の共振周波数より高くすることができる。したがって、第１のコンデンサ部がコンデンサ本体の複合特性において高周波側に影響を与えることになり、第１のコンデンサ部のＥＳＬ特性が反映され、コンデンサ本体の低ＥＳＬ化を図ることができる。
【００２５】
また、コンデンサ本体を第１のコンデンサ部と第２のコンデンサ部とに分割し、第１のコンデンサ部の共振周波数と第２のコンデンサ部の共振周波数とを異ならせることにより、第１のコンデンサ部のＥＳＲと第２のコンデンサ部のＥＳＲとの複合特性によって、コンデンサ本体のＥＳＲが決定されることになる。ここで、前述のように、第２のコンデンサ部にある１対の第３および第４の内部電極についての第３および第４の引出し部の対の数を、第１のコンデンサ部にある１対の第１および第２の内部電極についての第１および第２の引出し部の対の数より少なくしているので、第２のコンデンサ部において、より高ＥＳＲ化を図ることができる。したがって、コンデンサ本体についての高ＥＳＲ化が、第２のコンデンサ部によって図られることができる。
【００２６】
その結果、低ＥＳＬかつ高ＥＳＲの双方を満足させる積層コンデンサを得ることができる。
【００２７】
この発明に係る積層コンデンサにおいて、前述のように、第３および第４の引出し部の対の数を、第１および第２の引出し部の対の数より少なくするため、各々１つの第３および第４の内部電極についての第３および第４の引出し部の各々の数を、各々１つの第１および第２の内部電極についての第１および第２の引出し部の各々の数より少なくするようにすれば、第１のコンデンサ部による低ＥＳＬ化および第２のコンデンサ部による高ＥＳＲ化を確実に達成することができる。
【００２８】
この発明に係る積層コンデンサにおいて、第１および第２の外部端子電極が交互に配置されていると、正極から負極への電流の流れをより短くし、かつ磁束の相殺をより効果的に行なうことができるので、第１のコンデンサ部でのＥＳＬをより低減することができる。
【００２９】
コンデンサ本体において、第１のコンデンサ部と第２のコンデンサ部とが積層方向に並ぶように配置されるとともに、第１のコンデンサ部が積層方向での少なくとも一方端に位置される場合であって、第１のコンデンサ部が実装面により近い側に位置するようにコンデンサ本体を向けた状態で、積層コンデンサが実装される場合には、正極の外部端子電極から内部電極を通って負極の外部端子電極へと流れる電流の経路をより短くすることができるので、実装構造において低ＥＳＬ化を図ることができる。したがって、低ＥＳＬ化が図られた積層コンデンサの低ＥＳＬ特性を十分に発揮させることができる。
【００３０】
コンデンサ本体において、第２のコンデンサ部が２つの第１のコンデンサ部によって積層方向に挟まれるように配置されていると、上述のような低ＥＳＬ化が可能な実装構造を得るにあたって、コンデンサ本体の上下についての方向性をなくすことができる。
【発明を実施するための最良の形態】
【００３１】
図１ないし図４は、この発明の第１の実施形態による積層コンデンサ１を示している。ここで、図１は、積層コンデンサ１の外観を示す斜視図であり、図２は、積層コンデンサ１の実装構造を示す断面図である。なお、図２において、積層コンデンサ１は、後述する図３および図４の線ＩＩ−ＩＩに沿う断面をもって示されている。
【００３２】
積層コンデンサ１は、相対向する２つの主面２および３ならびにこれら主面２および３間を連結する４つの側面４、５、６および７を有する直方体状のコンデンサ本体８を備えている。コンデンサ本体８は、主面２および３の方向に延びる、たとえば誘電体セラミックからなる積層された複数の誘電体層９をもって構成される積層構造を有している。また、主面２および３は、４つの側面４〜７のいずれよりも大きい面積を有している。
【００３３】
コンデンサ本体８は、図２に示すように、第１および第２のコンデンサ部１１および１２を構成している。この実施形態では、第１のコンデンサ部１１と第２のコンデンサ部１２とは、積層方向に並ぶように配置され、しかも、第２のコンデンサ部１２が２つの第１のコンデンサ部１１によって積層方向に挟まれるように配置されている。その結果、第１のコンデンサ部１１は、コンデンサ本体８における積層方向での両端に位置される。
【００３４】
第１のコンデンサ部１１は、静電容量を形成するように所定の誘電体層９を介して互いに対向する少なくとも１対の第１および第２の内部電極１３および１４を備えている。他方、第２のコンデンサ部１２は、静電容量を形成するように所定の誘電体層９を介して互いに対向する第３および第４の内部電極１５および１６を備えている。
【００３５】
この実施形態では、より大きな静電容量を得るため、第１および第２の内部電極１３および１４の対の数ならびに第３および第４の内部電極１５および１６の対の数は、複数とされる。
【００３６】
図３は、第１のコンデンサ部１１の内部構造を示す平面図であり、（ａ）は、第１の内部電極１３が通る断面を示し、（ｂ）は、第２の内部電極１４が通る断面を示している。
【００３７】
図３（ａ）に示すように、第１の内部電極１３には、コンデンサ本体８の外表面、すなわち側面４〜７にまで引き出される複数、たとえば７つの第１の引出し部１７が形成されている。また、図３（ｂ）に示すように、第２の内部電極１４には、コンデンサ本体８の外表面、すなわち側面４〜７にまで引き出される複数、たとえば７つの第２の引出し部１８が形成されている。したがって、１対の第１および第２の内部電極１３および１４についての第１および第２の引出し部１７および１８の対の数は、７ということになる。
【００３８】
コンデンサ本体８の側面４〜７の各々上には、第１の引出し部１７に、直接、それぞれ電気的に接続される複数、たとえば７つの第１の外部端子電極１９、ならびに第２の引出し部１８に、直接、それぞれ電気的に接続される複数、たとえば７つの第２の外部端子電極２０が形成されている。第１および第２の外部端子電極１９および２０は、図１および図２に示されるように、誘電体層９の積層方向に沿って延びるように、かつ、第１および第２のコンデンサ部１１および１２の双方にかかるようにして形成されるとともに、側面４〜７上から主面２および３の各々の一部上にまで延びるように形成されている。
【００３９】
第１の引出し部１７がそれぞれ引き出される側面４〜７上での各位置は、第２の引出し部１８がそれぞれ引き出される各位置と異なっており、したがって、第１の外部端子電極１９が設けられる側面４〜７上での各位置は、第２の外部端子電極２０の各位置と異なっている。そして、第１の外部端子電極１９と第２の外部端子電極２０とは、側面４〜７上において、交互に配置されている。
【００４０】
図４は、第２のコンデンサ部１２の内部構造を示す平面図であり、（ａ）は、第３の内部電極１５が通る断面を示し、（ｂ）は、第４の内部電極１６が通る断面を示している。
【００４１】
図４（ａ）に示すように、第３の内部電極１５には、コンデンサ本体８の外表面、すなわち側面５および７にまで引き出される少なくとも１つ、たとえば２つの第３の引出し部２１が形成されている。また、図４（ｂ）に示すように、第４の内部電極１６には、コンデンサ本体８の外表面、すなわち側面５および７にまで引き出される少なくとも１つ、たとえば２つの第４の引出し部２２が形成されている。したがって、１対の第３および第４の内部電極１５および１６についての第３および第４の引出し部２１および２２の対の数は、２ということになる。
【００４２】
この実施形態では、第３の引出し部２１は、前述した第１の外部端子電極１９に電気的に接続され、第４の引出し部２２は、前述した第２の外部端子電極２０に電気的に接続されている。すなわち、第１の外部端子電極１９のいくつかは、第３の引出し部２１に電気的に接続されるべき第３の外部端子電極と共通であり、第２の外部端子電極２０のいくつかは、第４の引出し部２２に電気的に接続されるべき第４の外部端子電極と共通である。
【００４３】
上述のように、第３および第４の引出し部２１および２２が、それぞれ、第１および第２の引出し部１７および１８と共通する第１および第２の外部端子電極１９および２０に電気的に接続されていると、積層コンデンサ１自身において、第１のコンデンサ部１１と第２のコンデンサ部１２とを並列に接続した状態とすることができる。
【００４４】
なお、後述する実施形態のように、第３および第４の引出し部２１および２２にそれぞれ接続されるべき第３および第４の外部端子電極を、第１および第２の外部端子電極とは別に設けてもよい。
【００４５】
以上説明した第１の実施形態では、１対の第３および第４の内部電極１５および１６についての第３および第４の引出し部２１および２２の対の数が、１対の第１および第２の内部電極１３および１４についての第１および第２の引出し部１７および１８の対の数より少ない。すなわち、前者が２であり、後者が７である。
【００４６】
特に、第１の実施形態では、各々１つの第３および第４の内部電極１５および１６についての第３および第４の引出し部２１および２２の各々の数は、各々１つの第１および第２の内部電極１３および１４についての第１および第２の引出し部１７および１８の各々の数より少ない。すなわち、前者が２つであり、後者が７つである。
【００４７】
そのため、第１および第２の内部電極１３および１４での電流の流れる方向を多様にすることができ、磁束の相殺によって、第１のコンデンサ部１１のＥＳＬを、第２のコンデンサ部１２のＥＳＬよりも低くすることができる。
【００４８】
他方、第３および第４の内部電極１５および１６にあっては、前述したように、第３および第４の引出し部２１および２２の各々の数が、第１および第２の内部電極１３および１４についての第１および第２の引出し部１７および１８の各々の数より少ない。そのため、内部電極１３〜１６あるいは引出し部１７、１８、２１および２２がＥＳＲに及ぼす影響が第１のコンデンサ部１１と第２のコンデンサ部１２とで変わらず、かつ内部電極１３〜１６の材料等の他の条件が同じであるとすれば、第３および第４の内部電極１５および１６においては、第１および第２の内部電極１３および１４に比べて、電流の流れる方向が少ないことから、第２のコンデンサ部１２のＥＳＲを、第１のコンデンサ部１１のＥＳＲよりも高くすることができる。
【００４９】
以上のようなことから、積層コンデンサ１の特性は、第１のコンデンサ部１１による低ＥＳＬ特性が有効に働くとともに、第１のコンデンサ部１１のＥＳＲ特性と第２のコンデンサ部１２のＥＳＲ特性とが反映された高ＥＳＲ特性となる。したがって、積層コンデンサ１によれば、低ＥＳＬ化および高ＥＳＲ化の双方を実現することができる。
【００５０】
図２には、配線基板２４によって与えられた実装面２５上に、積層コンデンサ１が実装された構造が示されている。配線基板２４の実装面２５上には、いくつかの導電ランド２６および２７が設けられていて、第１および第２の外部端子電極１９および２０が、それぞれ、導電ランド２６および２７に半田付け（図示せず。）等によって電気的に接続される。
【００５１】
上述のような実装構造において、第１のコンデンサ部１１が実装面２５により近い側に位置するようにコンデンサ本体８を向けた状態で、積層コンデンサ１が実装されている。
【００５２】
上述のような積層コンデンサ１の実装状態において、第１の外部端子電極１９が正極となり、第２の外部端子電極２０が負極となる時点において、正極から内部電極１３〜１６を通って負極へと流れる電流の流れのループを考慮した場合、より高周波になるほど、図２において破線の矢印２８で示すように、最下層から２つの内部電極１３（ａ）および１４（ａ）に流れる電流がＥＳＬ値により大きく影響するようになる。そのため、前述したように、第１のコンデンサ部１１を実装面２５により近い側に位置させると、積層コンデンサ１の実装状態において、一層の低ＥＳＬ化を図ることができる。
【００５３】
なお、第１の実施形態のように、第２のコンデンサ部１２が２つの第１のコンデンサ部１１によって積層方向に挟まれるように配置されていると、コンデンサ本体８の上下についての方向性をなくすことができる。したがって、図２に示すように、主面３を実装面２５側に向けても、図示しないが、主面２を実装面２５側に向けても、上述のような低ＥＳＬ化を図ることができる。
【００５４】
図５は、上述した積層コンデンサ１が与える等価回路を模式的に示している。図５に示した要素と図１ないし図４に示した各要素との対応関係がわかるように、図５において、図１ないし図４に示した要素に相当する要素には同様に参照符号が付されている。
【００５５】
図５において、第１ないし第４の内部電極１３〜１６の各々について、１つの内部電極が１本の線で示されている。第１のコンデンサ部１１においては、第１および第２の内部電極１３および１４が２対図示されるとともに、これら２対の第１および第２の内部電極１３および１４の間に点線を表示することによって、さらに多数の第１および第２の内部電極１３および１４を備え得ることが示唆されている。同様に、第２のコンデンサ部１２においても、第３および第４の内部電極１５および１６が２対図示されるとともに、これら２対の第３および第４の内部電極１５および１６の間に点線を表示することによって、さらに多数の第３および第４の内部電極１５および１６を備え得ることが示唆されている。
【００５６】
なお、図５と前述の図２とを対比したとき、第１のコンデンサ部１１における第１および第２の内部電極１３および１４の数が一致しないが、これは、図２では、第１および第２の内部電極１３および１４の代表的なもののみが図示されていると理解すればよい。
【００５７】
図５に示すように、引出し部１７、１８、２１および２２の各々について、１つの引出し部のそれぞれに関連して、ＥＳＲ２９およびＥＳＬ３０が形成されている。
【００５８】
図６は、この実施形態による積層コンデンサ１の好ましい用途を説明するためのもので、積層コンデンサ１をデカップリングコンデンサとして用いているＭＰＵの回路構成を示す図である。
【００５９】
ＭＰＵは、ＭＰＵチップ１０１およびメモリ１０２を備える。電源部１０３は、ＭＰＵチップ１０１に電源を供給するためのもので、電源部１０３からＭＰＵチップ１０１に至る電源回路には、積層コンデンサ１がデカップリングコンデンサとして機能するように接続されている。また、ＭＰＵチップ１０１からメモリ１０２側には、図示しないが、信号回路が構成されている。
【００６０】
上述したＭＰＵに関連して、デカップリングコンデンサとして用いられる積層コンデンサ１は、ノイズ吸収や電源の変動に対する平滑化のために用いられるばかりでなく、クイックパワーサプライとしての機能も有している。したがって、このようなデカップリングコンデンサとして用いられる積層コンデンサ１にあっては、ＥＳＬができるだけ低いことが望ましく、この点において、この実施形態に係る積層コンデンサは、デカップリングコンデンサとして有利に用いることができる。
【００６１】
なお、この発明の特徴的構成の１つである、「第２のコンデンサ部における、第３の内部電極、第４の内部電極、第３の内部電極の順に連続する３個１組の任意の内部電極群について、一方の第３の内部電極に接続される第３の外部端子電極と他方の第３の内部電極に接続される第３の外部端子電極とは互いに異なっている」といった構成は、図２７および図２８に示した第１６の実施形態において、よく現れているので、図２７および図２８を参照しながら、第１６の実施形態について、まず、説明する。
【００６２】
図２７および図２８は、この発明の第１６の実施形態による積層コンデンサ１ｍを説明するためのものである。ここで、図２７は、第１のコンデンサ部における内部電極パターンを示す平面図であり、図２８は、第２のコンデンサ部における内部電極パターンを示す平面図である。図２７および図２８において、図３および図４に示した要素に相当する要素には同様の参照符号を付し、重複する説明は省略する。
【００６３】
図２７に示すように、第１の内部電極１３は、２つの第１の引出し部１７を有し、第２の内部電極１４は、２つの第２の引出し部１８を有している。図２７において、（１）〜（１４）は、積層順序を示している。
【００６４】
図２８に示すように、第３の内部電極１５は、１つの第３の引出し部２１を有し、第４の内部電極１６は、１つの第４の引出し部２２を有している。この実施形態によれば、第２のコンデンサに含まれる１対の第３および第４の内部電極１５および１６についての第３および第４の引出し部２１および２２の対の数が、単に１であるので、第２のコンデンサ部でのＥＳＲを、第１の実施形態の場合に比べて、より高くすることができる。
【００６５】
図２８において、（１）〜（１４）は、積層順序を示している。たとえば、図２８（１）、（２）および（３）を参照すればわかるように、第２のコンデンサ部における、第３の内部電極１５、第４の内部電極１６、第３の内部電極１５の順に連続する３個１組の任意の内部電極群について、図２８（１）に示す一方の第３の内部電極１５に接続される第３の外部端子電極１９と図２８（３）に示す他方の第３の内部電極１５に接続される第３の外部端子電極とは互いに異なっている。
【００６６】
図７は、この発明の第２の実施形態による積層コンデンサ１ａを説明するための図４に対応する図である。図７において、図４に示した要素に相当する要素には同様の参照符号を付し、重複する説明は省略する。
【００６７】
前述した第１の実施形態の場合と比較して、第２の実施形態では、第３の内部電極１５には、単に１つの第３の引出し部２１が形成され、かつ、第４の内部電極１６には、単に１つの第４の引出し部２２が形成されていることを特徴としている。その他の構成については、第１の実施形態の場合と同様である。
【００６８】
第２の実施形態によれば、第１６の実施形態の場合と同様、第２のコンデンサ１２に含まれる１対の第３および第４の内部電極１５および１６についての第３および第４の引出し部２１および２２の対の数が、単に１であるので、第２のコンデンサ部１２でのＥＳＲを、第１の実施形態の場合に比べて、より高くすることができる。
【００６９】
なお、第３の内部電極１５、第４の内部電極１６、第３の内部電極１５の順に連続する３個１組の任意の内部電極群のうち、図７（ａ）に示した第３の内部電極１５および図７（ｂ）に示した第４の内部電極１６については図示され、図７（ｂ）に示した第４の内部電極１６の次に位置する第３の内部電極１５については図示されないが、後者の図示されない第３の内部電極１５は、第１６の実施形態の場合と同様、図示した前者の第３の内部電極１５に接続された外部端子電極１９とは異なる外部端子電極１９に接続されることになる。
【００７０】
図８は、この発明の第３の実施形態による積層コンデンサ１ｂを説明するための図４に対応する図である。図８において、図４に示した要素に相当する要素には同様の参照符号を付し、重複する説明は省略する。
【００７１】
第３の実施形態では、第３および第４の内部電極１５および１６のいずれか一方が、図３に示した第１および第２の内部電極１３および１４のいずれか一方と同じパターンを有していることを特徴としている。より具体的には、図８（ｂ）に示すように、第４の内部電極１６が、図３（ｂ）に示した第２の内部電極１４と同じパターンを有している。したがって、第４の内部電極１６には、７つの第４の引出し部２２が形成されている。その他の構成については、第１の実施形態の場合と実質的に同様である。
【００７２】
第３の実施形態では、１つの第４の内部電極１６が７つの第４の引出し部２２を有しているが、１つの第３の内部電極１５が単に２つの第３の引出し部２１を有しているにすぎないので、第３および第４の引出し部２１および２２の対の数は２ということになり、第１および第２の引出し部１７および１８の対の数すなわち７より少ない。したがって、第２のコンデンサ部１２のＥＳＲを、第１のコンデンサ部１１のＥＳＲよりも高くすることができる。
【００７３】
さらに、第３の実施形態によれば、各々１つの第３および第４の内部電極１５および１６についての第３および第４の引出し部２１および２２の少なくとも一方の数が、各々１つの第１および第２の内部電極１３および１４についての第１および第２の引出し部１７および１８の各々の数より少ないという条件を満たしている。
【００７４】
なお、この第３の実施形態の場合も、第３の内部電極１５、第４の内部電極１６、第３の内部電極１５の順に連続する３個１組の任意の内部電極群のうち、図８（ａ）に示した第３の内部電極１５および図８（ｂ）に示した第４の内部電極１６については図示され、図８（ｂ）に示した第４の内部電極１６の次に位置する第３の内部電極１５については図示されないが、後者の図示されない第３の内部電極１５は、第１６の実施形態の場合と同様、図示した前者の第３の内部電極１５に接続された外部端子電極１９とは異なる外部端子電極１９に接続されることになる。
【００７５】
図９は、この発明の第４の実施形態による積層コンデンサ１ｃを説明するためのものである。ここで、図９（ａ）および（ｂ）は、それぞれ、図３（ａ）および（ｂ）に対応し、図９（ｃ）および（ｄ）は、それぞれ、図４（ａ）および（ｂ）に対応している。図９において、図３および図４に示す要素に相当する要素には同様の参照符号を付し、重複する説明は省略する。
【００７６】
第４の実施形態では、第３および第４の外部端子電極３１および３２が別途形成されていることを特徴としている。すなわち、コンデンサ本体８の短辺側の側面５および７上に形成された外部端子電極は、第１および第２の外部端子電極１９および２０ではなく、第３および第４の外部端子電極３１および３２である。これら第３および第４の外部端子電極３１および３２には、図９（ｃ）および（ｄ）に示すように、それぞれ、第３の内部電極１５の第３の引出し部２１および第４の内部電極１６の第４の引出し部２２が電気的に接続される。
【００７７】
他方、図９（ａ）に示すように、第１の内部電極１３には、５つの第１の引出し部１７しか形成されず、これら第１の引出し部１７は、コンデンサ本体８の長辺側の側面４および６にのみ引き出され、第１の外部端子電極１９に電気的に接続される。また、図９（ｂ）に示すように、第２の内部電極１４には、５つの第２の引出し部１８しか形成されず、これら第２の引出し部１８は、コンデンサ本体８の長辺側の側面４および６にのみ引き出され、第２の外部端子電極２０に電気的に接続される。
【００７８】
その他の構成については、第１の実施形態の場合と実質的に同様である。
【００７９】
第４の実施形態によれば、第１の実施形態の場合と比べて、第１および第２の引出し部１７および１８の各々の数以外の条件が等しいとすれば、第１のコンデンサ部１１のＥＳＬがより高くなると推測される。
【００８０】
なお、この第４の実施形態の場合も、第３の内部電極１５、第４の内部電極１６、第３の内部電極１５の順に連続する３個１組の任意の内部電極群のうち、図９（ｃ）に示した第３の内部電極１５および図９（ｄ）に示した第４の内部電極１６については図示され、図９（ｄ）に示した第４の内部電極１６の次に位置する第３の内部電極１５については図示されないが、後者の図示されない第３の内部電極１５は、図示した前者の第３の内部電極１５に接続された第３の外部端子電極３１ではなく、第１の外部端子電極１９のいずれかに接続されることになる。
【００８１】
図１０は、この発明の第５の実施形態による積層コンデンサ１ｄを説明するためのものである。ここで、図１０（ａ）および（ｂ）は、それぞれ、図３（ａ）および（ｂ）に対応し、図１０（ｃ）および（ｄ）は、それぞれ、図４（ａ）および（ｂ）に対応している。図１０において、図３および図４に示した要素に相当する要素には同様の参照符号を付し、重複する説明は省略する。
【００８２】
第５の実施形態では、コンデンサ本体８の短辺側の側面５および７上には、いずれの外部端子電極もが形成されないことを特徴としている。すなわち、コンデンサ本体８の長辺側の側面４および６上にのみ、第１および第２の外部端子電極１９および２０が形成される。
【００８３】
また、第５の実施形態では、図１０（ｃ）に示すように、第３の内部電極１５には、１つの第３の引出し部２１が形成され、第３の引出し部２１は、第１の外部端子電極１９のいずれかに電気的に接続される。また、図１０（ｄ）に示すように、第４の内部電極１６には、１つの第４の引出し部２２が形成され、第４の引出し部２２は、第２の外部端子電極２０のいずれかに電気的に接続される。
【００８４】
その他の構成については、第１の実施形態の場合と実質的に同様である。
【００８５】
第５の実施形態は、コンデンサ本体８の短辺側の側面５および７上には外部端子電極が形成されない積層コンデンサ１ｄに対しても、この発明を適用できることを明示する意義を有する。
【００８６】
なお、第３の内部電極１５、第４の内部電極１６、第３の内部電極１５の順に連続する３個１組の任意の内部電極群のうち、図１０（ｃ）に示した第３の内部電極１５および図１０（ｄ）に示した第４の内部電極１６については図示され、図１０（ｄ）に示した第４の内部電極１６の次に位置する第３の内部電極１５については図示されないが、後者の図示されない第３の内部電極１５は、第１６の実施形態の場合と同様、図示した前者の第３の内部電極１５に接続された外部端子電極１９とは異なる外部端子電極１９に接続されることになる。
【００８７】
図１１は、この発明の第６の実施形態による積層コンデンサ１ｅを説明するための図３に対応する図である。図１１において、図３に示した要素に相当する要素には同様の参照符号を付し、重複する説明は省略する。
【００８８】
第６の実施形態では、図１１（ａ）に示すように、第１の内部電極１３が形成された誘電体層９上には、ダミー引出し部３８が形成され、他方、図１１（ｂ）に示すように第２の内部電極１４が形成された誘電体層９上には、ダミー引出し部３９が形成される。
【００８９】
ダミー引出し部３８および３９は、誘電体層９の周縁部に位置される。ダミー引出し部３８は、複数の第１の引出し部１７の各間に位置し、かつ第２の外部端子電極２０に電気的に接続される。他方、ダミー引出し部３９は、複数の第２の引出し部１８の各間に位置し、かつ第１の外部電子電極１９に電気的に接続される。
【００９０】
上述のように、ダミー引出し部３８および３９が形成されることによって、内部電極１３および１４の厚みに起因してコンデンサ本体８に生じ得る段差を抑制することができるとともに、外部端子電極１９および２０の、コンデンサ本体８に対する接合強度を高めることができる。
【００９１】
図１２は、この発明の第７の実施形態による積層コンデンサ１ｆを説明するための図４に対応する図である。図１２において、図４に示した要素に相当する要素には同様の参照符号を付し、重複する説明は省略する。
【００９２】
第７の実施形態では、図１２（ａ）に示すように、第３の内部電極１５が形成された誘電体層９上には、ダミー引出し部４０が形成され、他方、図１２（ｂ）に示すように、第４の内部電極１６が形成された誘電体層９上には、ダミー引出し部４１が形成される。
【００９３】
ダミー引出し部４０および４１は、誘電体層９の短辺に沿って位置される。ダミー引出し部４０は、コンデンサ本体８の短辺側の側面５および７上に形成された第２の外部端子電極２０に電気的に接続される。他方、ダミー引出し部４１は、コンデンサ本体８の短辺側の側面５および７上に形成された第１の外部端子電極１９に電気的に接続される。
【００９４】
上述したダミー引出し部４０および４１は、前述の図１１に示したダミー引出し部３８および３９と実質的に同様の作用効果を奏するものである。
【００９５】
なお、図１２に示した第７の実施形態の変形例として、ダミー引出し部を、誘電体層９の長辺に沿ってさらに位置させることも可能である。この場合においても、各ダミー引出し部は、コンデンサ本体８の長辺側の側面４および６上に形成された第１および第２の外部端子電極１９および２０にそれぞれ電気的に接続される。
【００９６】
また、第３の内部電極１５、第４の内部電極１６、第３の内部電極１５の順に連続する３個１組の任意の内部電極群のうち、図１２（ａ）に示した第３の内部電極１５および図１２（ｂ）に示した第４の内部電極１６については図示され、図１２（ｂ）に示した第４の内部電極１６の次に位置する第３の内部電極１５については図示されないが、後者の図示されない第３の内部電極１５は、第１６の実施形態の場合と同様、図示した前者の第３の内部電極１５に接続された外部端子電極１９とは異なる外部端子電極１９に接続されることになる。
【００９７】
図１３は、この発明の第８の実施形態による積層コンデンサ１ｇを説明するための図である。図１３には、図３または図４に示した要素と共通する要素が多く図示されているので、図１３において、図３または図４に示した要素に相当する要素には同様の参照符号を付し、重複する説明は省略する。
【００９８】
図１３には、コンデンサ本体８に備える誘電体層９のうち、内部電極が形成されないものが図示されている。このような内部電極が形成されない誘電体層９は、コンデンサ本体８の積層方向における端部に位置されたり、第１のコンデンサ部１１と第２のコンデンサ部１２との境界部分に位置されたりする。
【００９９】
第８の実施形態では、図１３に示すように、内部電極が形成されない誘電体層９の周縁部に沿って、複数のダミー引出し部４２が形成される。ダミー引出し部４２は、外部端子電極１９または２０に電気的に接続される。また、ダミー引出し部４２の寸法は、前述したダミー引出し部３８〜４１の各寸法と実質的に同等とされ、好ましくは、内部電極１３〜１６の各主要部と重なり合わないようにされる。
【０１００】
このようなダミー引出し部４２の作用効果についても、前述したダミー引出し部３８〜４１の場合と実質的に同様である。
【０１０１】
以上のダミー引出し部に関連する第６のないし第８の実施形態は、各々単独で実施されてもよいが、好ましくは、２つ以上の実施形態が組み合わされて実施され、最も好ましくは、３つの実施形態が組み合わされて実施される。
【０１０２】
図１４は、この発明の第９の実施形態による積層コンデンサ１ｈを説明するための図３に対応する図である。図１４において、図３に示した要素に相当する要素には同様の参照符号を付し、重複する説明は省略する。
【０１０３】
図１４（ａ）および図１４（ｂ）には、それぞれ、図３（ａ）および図３（ｂ）に示した第１および第２の内部電極１３および１４が示されている。他方、図１４（ｃ）には、ダミー内部電極４５が示されている。ダミー内部電極４５は、この実施形態では、図１４（ｂ）に示した第２の内部電極１４と同じパターンを有している。すなわち、ダミー内部電極４５には、コンデンサ本体８の側面４〜７にまで引き出される引出し部４６が形成され、引出し部４６は、第２の外部端子電極２０に電気的に接続される。
【０１０４】
前述したように、第１のコンデンサ部１１（図２参照）を構成するため、図１４（ａ）に示した第１の内部電極１３と図１４（ｂ）に示した第２の内部電極とが互いに対向するように積層されるが、この実施形態では、上述の積層構造における、積層方向での端部および／または途中において、第２の内部電極１４と隣り合うように、少なくとも１つのダミー内部電極４５が積層される。
【０１０５】
上述のように、ダミー内部電極４５を積層構造に含ませることによって、静電容量は増加しないが、第２の外部端子電極２０の、コンデンサ本体８に対する接合強度を高めることができる。したがって、この実施形態は、大きな静電容量を必要としないが、誘電体層９の積層数を確保しながら、外部端子電極２０の接合強度を確保したい場合において、有利に適用される。
【０１０６】
第９の実施形態の変形例として、第１の内部電極１３と同じパターンを有するダミー内部電極が形成されてもよい。
【０１０７】
図１５は、この発明の第１０の実施形態による積層コンデンサ１ｉを説明するための図４に対応する図である。図１５において、図４に示した要素に相当する要素には同様の参照符号を付し、重複する説明は省略する。
【０１０８】
図１５（ａ）および図１５（ｂ）には、それぞれ、図４（ａ）および図４（ｂ）に示した第３および第４の内部電極１５および１６が示されている。図１５（ｃ）には、ダミー内部電極４９が示されている。ダミー内部電極４９は、この実施形態では、図１５（ｂ）に示した第４の内部電極１６と同じパターンを有している。すなわち、ダミー内部電極４９には、コンデンサ本体８の短辺側の側面５および７にまで引き出される引出し部５０が形成され、引出し部５０は、第２の外部端子電極２０に電気的に接続される。
【０１０９】
前述したように、第２のコンデンサ部１２（図２参照）を構成するため、図１５（ａ）に示した第３の内部電極１５と図１５（ｂ）に示した第４の内部電極１６とが互いに対向するように積層されるとき、この積層構造における、積層方向での端部および／または途中において、第４の内部電極１６と隣り合うように、少なくとも１つのダミー内部電極４９が積層される。上述したダミー内部電極４９の作用効果は、図１４（ｃ）に示したダミー内部電極４５と実質的に同様である。
【０１１０】
第１０の実施形態の変形例として、第３の内部電極１５と同じパターンを有するダミー内部電極が形成されてもよい。
【０１１１】
なお、第３の内部電極１５、第４の内部電極１６、第３の内部電極１５の順に連続する３個１組の任意の内部電極群のうち、図１５（ａ）に示した第３の内部電極１５および図１５（ｂ）に示した第４の内部電極１６については図示され、図１５（ｂ）に示した第４の内部電極１６の次に位置する第３の内部電極１５については図示されないが、後者の図示されない第３の内部電極１５は、第１６の実施形態の場合と同様、図示した前者の第３の内部電極１５に接続された外部端子電極１９とは異なる外部端子電極１９に接続されることになる。
【０１１２】
図１６は、この発明の第１１の実施形態による積層コンデンサ１ｊを説明するための図３に対応する図である。図１６において、図３に示した要素に相当する要素には同様の参照符号を付し、重複する説明は省略する。
【０１１３】
図１６（ａ）および図１６（ｂ）には、それぞれ、図３（ａ）および図３（ｂ）に示した第１および第２の内部電極１３および１４が示されている。他方、図１６（ｃ）には、ダミー内部電極５３が示されている。ダミー内部電極５３は、この実施形態では、図４（ｂ）に示した第４の内部電極と同じパターンを有している。すなわち、ダミー内部電極５３には、コンデンサ本体８の短辺側の側面５および７にまで引き出される引出し部５４が形成され、引出し部５４は、第２の外部端子電極２０に電気的に接続される。
【０１１４】
前述したように、第１のコンデンサ部１１（図２参照）を構成するため、図１６（ａ）に示した第１の内部電極１３と図１６（ｂ）に示した第２の内部電極１４とが互いに対向するように積層されるとき、この積層構造における、積層方向での端部および／または途中において、第２の内部電極１４と隣り合うように、少なくとも１つのダミー内部電極５３が積層される。
【０１１５】
上述のダミー内部電極５３の作用効果は、図１４および図１５にそれぞれ示したダミー内部電極４５および４９の場合と実質的に同様である。
【０１１６】
第１１の実施形態の変形例として、図４（ａ）に示した第３の内部電極１５と同じパターンを有するダミー内部電極が形成されてもよい。
【０１１７】
図１７は、この発明の第１２の実施形態による積層コンデンサ１ｋを説明するための図４に対応する図である。図１７において、図４に示した要素に相当する要素には同様の参照符号を付し、重複する説明は省略する。
【０１１８】
図１７（ａ）および図１７（ｂ）には、それぞれ、図４（ａ）および図４（ｂ）に示した第３および第４の内部電極１５および１６が示されている。他方、図１７（ｃ）には、ダミー内部電極５７が示されている。ダミー内部電極５７は、図３（ｂ）に示した第２の内部電極１４と同じパターンを有している。すなわち、ダミー内部電極５７には、コンデンサ本体８の側面４〜７にまで引き出される引出し部５８が形成され、引出し部５８は、第２の外部端子電極２０に電気的に接続される。
【０１１９】
前述したように、第２のコンデンサ部１２（図２参照）を構成するため、図１７（ａ）に示した第３の内部電極１５と図１７（ｂ）に示した第４の内部電極１６とが互いに対向するように積層されるとき、この積層構造における、積層方向での端部および／または途中において、第４の内部電極１６と隣り合うように、少なくとも１つのダミー内部電極５７が積層される。
【０１２０】
上述のダミー内部電極５７の作用効果は、図１４ないし図１６にそれぞれ示したダミー内部電極４５、４９および５３の場合と実質的に同様である。
【０１２１】
第１２の実施形態の変形例として、図３（ａ）に示した第１の内部電極１３と同じパターンを有するダミー内部電極が形成されてもよい。
【０１２２】
なお、第３の内部電極１５、第４の内部電極１６、第３の内部電極１５の順に連続する３個１組の任意の内部電極群のうち、図１７（ａ）に示した第３の内部電極１５および図１７（ｂ）に示した第４の内部電極１６については図示され、図１７（ｂ）に示した第４の内部電極１６の次に位置する第３の内部電極１５については図示されないが、後者の図示されない第３の内部電極１５は、第１６の実施形態の場合と同様、図示した前者の第３の内部電極１５に接続された外部端子電極１９とは異なる外部端子電極１９に接続されることになる。
【０１２３】
上述の第９ないし第１２の実施形態は、これらを適宜組み合わせて実施することができる。より具体的には、第９および第１１の実施形態は、第１のコンデンサ部１１に関するものであり、第１０および第１２の実施形態は、第２のコンデンサ部１２に関するものであるので、第９および第１１の実施形態の各々は、第１０および第１２の実施形態の各々と任意に組み合わせて実施することができる。
【０１２４】
図１８ないし図２１は、この発明の第１３の実施形態による積層コンデンサ６１を示している。
【０１２５】
ここで、図１８は、積層コンデンサ６１の外観を示す斜視図であり、図１９は、積層コンデンサ６１における第１および第２のコンデンサ部６２および６３の配置状態を図解的に示す側面図である。図１８および図１９には、実装面６４が図示されている。積層コンデンサ６１は、実装状態において、実装面６４と平行な方向に積層方向を有していることを特徴としている。
【０１２６】
積層コンデンサ６１は、相対向する２つの主面６５および６６ならびにこれら主面６５および６６間を連結する４つの側面６７、６８、６９および７０を有する直方体状のコンデンサ本体７１を備えている。コンデンサ本体７１は、主面６５および６６の方向に延びる、たとえば誘電体セラミックからなる積層された複数の誘電体層７２（図２０および図２１参照）をもって構成される積層構造を有している。また、側面６７および６９は、主面６５および６６ならびに残りの側面６８および７０のいずれよりも大きい面積を有している。
【０１２７】
コンデンサ本体７１は、図１９に示すように、第１および第２のコンデンサ部６２および６３を構成している。第１のコンデンサ部６２と第２のコンデンサ部６３とは、実装面６４に平行な積層方向に並ぶように配置され、しかも、第２のコンデンサ部６３が２つの第１のコンデンサ部６２によって挟まれるように配置されている。その結果、第１のコンデンサ部６２は、コンデンサ本体７１における積層方向での両端に位置される。
【０１２８】
図２０は、第１のコンデンサ部６２の内部構造を示す誘電体層７２の平面図であり、（ａ）は、第１の内部電極７３が通る断面を示し、（ｂ）は、第２の内部電極７４が通る断面を示している。他方、図２１は、第２のコンデンサ部６３の内部構造を示す誘電体層７２の平面図であり、（ａ）は、第３の内部電極７５が通る断面を示し、（ｂ）は、第４の内部電極７６が通る断面を示している。
【０１２９】
第１のコンデンサ部６２においては、図２０に示す、少なくとも１対の第１および第２の内部電極７３および７４が、静電容量を形成するように所定の誘電体層７２を介して互いに対向している。他方、第２のコンデンサ部６３においては、図２１に示す、第３および第４の内部電極７５および７６が、静電容量を形成するように所定の誘電体層７２を介して互いに対向している。
【０１３０】
図２０（ａ）に示すように、第１の内部電極７３には、コンデンサ本体７１の相対向する２つの側面６７および６９にまでそれぞれ引き出される各２つの第１の引出し部７７が形成されている。また、図２０（ｂ）に示すように、第２の内部電極７４には、コンデンサ本体７１の相対向する側面６７および６９にまでそれぞれ引き出される各２つの第２の引出し部７８が形成されている。
【０１３１】
コンデンサ本体７１の側面６７および６９の各々上には、第１の引出し部７７にそれぞれ電気的に接続される各２つの第１の外部端子電極７９、ならびに第２の引出し部７８にそれぞれ電気的に接続される各２つの第２の外部端子電極８０が形成されている。第１および第２の外部端子電極７９および８０は、誘電体層７２の積層方向に沿って延びるように、かつ、第１および第２のコンデンサ部６２および６３の双方にかかるようにして形成されるとともに、図１８にその一部が示されているように、側面６７および６９の各々上から主面６５および６６の各々の一部上にまで延びるように形成されている。また、第１の外部端子電極７９と第２の外部端子電極８０とは、側面６７および６９の各々上において、交互に配置されている。
【０１３２】
図２１（ａ）に示すように、第３の内部電極７５には、コンデンサ本体７１の相対向する側面６７および６９にまでそれぞれ引き出される各１つの第３の引出し部８１が形成されている。また、図２１（ｂ）に示すように、第４の内部電極７６には、コンデンサ本体７１の相対向する側面６７および６９にまでそれぞれ引き出される各１つの第４の引出し部８２が形成されている。
【０１３３】
この実施形態では、第３の引出し部８１は、前述した第１の外部端子電極７９に電気的に接続され、第４の引出し部８２は、前述した第２の外部端子電極８０に電気的に接続されている。
【０１３４】
以上説明した第１３の実施形態においても、第１の実施形態等の場合と同様、１対の第３および第４の内部電極７５および７６についての第３および第４の引出し部８１および８２の対の数が、１対の第１および第２の内部電極７３および７４についての第１および第２の引出し部７７および７８の対の数より少ない。すなわち、前者が２であり、後者が４である。
【０１３５】
また、第１３の実施形態では、各々１つの第３および第４の内部電極７５および７６についての第３および第４の引出し部８１および８２の各々の数は、各々１つの第１および第２の内部電極７３および７４についての第１および第２の引出し部７７および７８の各々の数より少ない。すなわち、前者が２つであり、後者が４つである。
【０１３６】
そのため、第１および第２の内部電極７３および７４での電流の流れる方向を多様にすることができ、磁束の相殺によって、第１のコンデンサ部６２のＥＳＬを、第２のコンデンサ部６３のＥＳＬよりも低くすることができる。他方、第３および第４の内部電極７５および７６にあっては、電流の流れる方向が少ないため、内部電極７３〜７６の材料等の他の条件が同じであれば、第２のコンデンサ部６３のＥＳＲを、第１のコンデンサ部６２のＥＳＲよりも高くすることができる。
【０１３７】
したがって、積層コンデンサ６１の特性は、第１のコンデンサ部６２による低ＥＳＬ特性と第２のコンデンサ部６３による高ＥＳＲ特性とを複合した特性となる。したがって、積層コンデンサ６１によっても、低ＥＳＬ化および高ＥＳＲ化の双方を実現することができる。
【０１３８】
なお、第３の内部電極７５、第４の内部電極７６、第３の内部電極７５の順に連続する３個１組の任意の内部電極群のうち、図２１（ａ）に示した第３の内部電極７５および図２１（ｂ）に示した第４の内部電極７６については図示され、図２１（ｂ）に示した第４の内部電極７６の次に位置する第３の内部電極７５については図示されないが、後者の図示されない第３の内部電極７５は、第１６の実施形態の場合と同様、図示した前者の第３の内部電極７５に接続された外部端子電極７９とは異なる外部端子電極７９に接続されることになる。
【０１３９】
図２２および図２３は、それぞれ、この発明の第１４および第１５の実施形態による積層コンデンサ６１ａおよび６１ｂを説明するための図１９に対応する図である。図２２および図２３において、図１９に示す要素に相当する要素には同様の参照符号を付し、重複する説明は省略する。
【０１４０】
前述した第１３の実施形態による積層コンデンサ６１の場合には、実装面６４と直交する方向に誘電体層７２ならびに内部電極７３〜７６が延びるようにされているので、第１の実施形態による積層コンデンサ１の場合のように、実装面６４と内部電極との距離が及ぼすＥＳＬへの影響を考慮する必要がない。したがって、第１および第２のコンデンサ部６２および６３の配置に関して、図１９に示すような配置状態の他、図２２および図２３にそれぞれ示すような配置状態をも問題なく採用することができる。
【０１４１】
以上、この発明を図示した実施形態に関連して説明したが、この発明の範囲内において、その他種々の変形例が可能である。
【０１４２】
たとえば、内部電極に形成される引出し部の位置や数あるいは外部端子電極の位置や数については、さらに種々に変更することができる。
【０１４３】
また、コンデンサ本体における第１および第２のコンデンサ部の配置については、図示した実施形態での配置以外のものも可能である。
【０１４４】
また、たとえば第１の実施形態では、第１および第２の内部電極１３および１４が第１のコンデンサ部１１を構成するためだけに設けられ、かつ第３および第４の内部電極１５および１６が第２のコンデンサ部１２を構成するためだけに設けられたが、第１のコンデンサ部と第２のコンデンサ部との境界部に位置する内部電極が、第１および第２のコンデンサ部の双方のための内部電極として、すなわち、第１または第２の内部電極と第３または第４の内部電極とを兼ねる内部電極として設けられてもよい。
【０１４５】
次に、この発明による効果を確認するために実施した実験例について説明する。
【０１４６】
この実験例では、周知のように、複数のセラミックグリーンシートを用意し、特定のセラミックグリーンシート上に、引出し部を有する内部電極を導電性ペーストの印刷によって形成し、内部電極が形成されたセラミックグリーンシートを含む複数のセラミックグリーンシートを積層し、得られた積層体を焼成してコンデンサ本体を得、このコンデンサ本体の外表面上に外部端子電極を導電性ペーストの焼付けによって形成するという各工程を経て、表１に示した各試料に係る積層コンデンサを作製した。
【０１４７】
各試料に係る積層コンデンサについて、コンデンサ本体の寸法は２．０ｍｍ×１．２５ｍｍ×０．５ｍｍとし、内部電極の総積層数を６４とし、静電容量を０．６８μＦとし、図１等に示した実施形態の場合と同様、外部端子電極の数を１４とした。また、内部電極の厚みを１μｍとし、引出し部の厚みを１μｍとし、引出し部の幅を１５０μｍとした。
【０１４８】
【表１】
2007235170.tif 000034
【０１４９】
表１において、「積層配置状態」の欄に示されたＡ〜Ｅは、図２４の（Ａ）〜（Ｅ）にそれぞれ対応している。図２４には、第１および第２のコンデンサ部についての積層方向での配置状態が示されている。なお、図２４において、参照符号「３５」を付した部分は、いずれの内部電極も形成されない外層部を示している。また、図２４において、図示された積層構造物の各下面が実装面側に向いている。
【０１５０】
表１の「第１のコンデンサ部」の欄には、「内部電極パターン」、「積層数」、「第１の引出し部数」、「第２の引出し部数」および「引出し部の対の数」が示され、「第２のコンデンサ部」の欄には、「内部電極パターン」、「積層数」、「第３の引出し部数」、「第４の引出し部数」および「引出し部の対の数」が示されている。
【０１５１】
それぞれの「内部電極パターン」の欄には、各試料において採用された内部電極パターンを図示する図面の番号が引用されている。なお、試料１１の「第１のコンデンサ部」における「内部電極パターン」の欄に引用された「図２５」、試料１１の「第２のコンデンサ部」における「内部電極パターン」の欄に引用された「図２６」、ならびに試料１３の「第２のコンデンサ部」における「内部電極パターン」の欄に引用された「図２９」については、それぞれ、添付の図２５、図２６および図２９に示すような内部電極パターンを採用したものである。
【０１５２】
図２５（ａ）には、７つの第１の引出し部１７を有する第１の内部電極１３が図示され、図２５（ｂ）には、２つの第２の引出し部１８を有する第２の内部電極１４が図示されている。
【０１５３】
図２６（ａ）には、２つの第３の引出し部２１を有する第３の内部電極１５が図示され、図２６（ｂ）には、７つの第４の引出し部２２を有する第４の内部電極１６が図示されている。
【０１５４】
図２９には、１つの第３の引出し部２１を有する第３の内部電極１５と１つの第４の引出し部２２を有する第４の内部電極１６とが図示されるとともに、第３および第４の引出し部２１および２２にそれぞれ電気的に接続される第３および第４の外部端子電極３１および３２が図示されている。図２９において、（１）〜（１４）は、積層順序を示している。
【０１５５】
再び表１を参照して、「積層数」は、「第１のコンデンサ部」にあっては、第１および第２の内部電極の合計積層数を示し、「第２のコンデンサ部」にあっては、第３および第４の内部電極の合計積層数を示している。また、「第１のコンデンサ部」の「積層数」の欄における「上」および「下」の表示は、図２４（ｂ）における「第１のコンデンサ部（上）」および「第１のコンデンサ部（下）」にそれぞれ対応している。
【０１５６】
また、「第１のコンデンサ部」における「第１の引出し部数」、「第２の引出し部数」および「引出し部の対の数」は、それぞれ、１つの第１の内部電極についての引出し部の数、１つの第２の内部電極についての引出し部の数、ならびに１対の第１および第２の内部電極についての第１および第２の引出し部の対の数を示している。
【０１５７】
他方、「第２のコンデンサ部」における「第３の引出し部数」、「第４の引出し部数」および「引出し部の対の数」は、それぞれ、１つの第３の内部電極についての引出し部の数、１つの第４の内部電極についての引出し部の数、ならびに１対の第３および第４の内部電極についての第３および第４の引出し部の対の数を示している。
【０１５８】
表１に示すような設計とされた試料１〜１３の各々について求められた「ＥＳＬ値」および「ＥＳＲ値」が、表２に示されている。
【０１５９】
【表２】
2007235170.tif 000035
【０１６０】
表１および表２において、試料番号に＊を付したものは、この発明の範囲外の比較例である。
【０１６１】
比較例としての試料１では、表１に示すように、高ＥＳＲ化に寄与する第２のコンデンサ部を備えないため、表２に示すように、低ＥＳＬ化を図ることができるものの、高ＥＳＲ化を図ることができない。
【０１６２】
試料１とは対照的な比較例としての試料１３では、表１に示すように、低ＥＳＬ化に寄与する第１のコンデンサ部を備えないため、表２に示すように、高ＥＳＲ化を図ることができるものの、低ＥＳＬ化を図ることができない。
【０１６３】
また、比較例としての試料１１では、表１に示すように、「第２のコンデンサ部」における「引出し部の対の数」が、「第１のコンデンサ部」における「引出し部の対の数」と等しいため、第１のコンデンサ部と第２のコンデンサ部とが同じ構造になる。その結果、ＥＳＬ値については、本発明の実施例で引出し部数が最も少ない試料１２とほとんど変わらない程度の４６ｐＨのＥＳＬ値しか得られず、ＥＳＲ値については、本発明の実施例で最も低い試料２と同程度の１３．３ｍΩしか得られていない。これは、以下の理由による。
【０１６４】
まず、ＥＳＬについては、第１のコンデンサ部の引出し部の対の数が２対であり、第２のコンデンサ部の引出し部の対の数も２対であることにより、試料１２のＥＳＬ値と同程度しか得られない。これは、第１の引出し部数が７でも、対の数としては２対しかないためである。
【０１６５】
一方、ＥＳＲについては、第１のコンデンサ部および第２のコンデンサ部を構成する内部電極の引出し部数が増えることから、１層あたりのＥＳＲは試料１３に比べて大きく低下する。さらに、これらの積層によってＥＳＲが並列に接続されることにより、さらにＥＳＲが低下することになった結果である。
【０１６６】
以上のように、第１のコンデンサ部と第２のコンデンサ部が同じ構造の場合は、効果的にＥＳＲを高くすることができない。
【０１６７】
また、この高周波側の周波数特性の改善効果に加えて、この発明の範囲内にある実施例としての試料２〜１０および１２では、表１に示すように、第１および第２のコンデンサ部の双方を備え、かつ「第２のコンデンサ部」における「引出し部の対の数」が、「第１のコンデンサ部」における「引出し部の対の数」より少ないため、表２に示すように、低ＥＳＬ化および高ＥＳＲ化の双方が図られている。
【０１６８】
また、試料２〜９については、ＥＳＬ値は試料１とほぼ同程度の値が得られている。これは、高周波域においては、実装面側に電界が集中し、図２に示す破線の矢印２８のようなループでの特性が最も影響されるようになり、引出し部数の多い第１のコンデンサ部が実装面側に積層配置されている試料２〜９では、第１のコンデンサ部の低いＥＳＬの値が支配的になった結果である。
【０１６９】
これに対して、実装面側に第２のコンデンサ部が配置された試料１０においては、試料２〜９と比較すると、ＥＳＬ値が高くなっている。なお、試料１０の構成でも、試料１３と比較した場合、第１のコンデンサ部が存在する分、ＥＳＬ値を低くすることができている。
【０１７０】
また、同じ積層配置状態で第１のコンデンサ部の積層数を変化させた試料２〜５では、ＥＳＬ値はほぼ同程度であることから、ＥＳＬ値に対する、第１のコンデンサ部の積層数による影響は少ないことがわかる。これは、試料２〜５と異なる積層配置状態の試料６〜９でも同様である。
【０１７１】
一方、ＥＳＲ値については、積層コンデンサ全体の全体積層数に対する第２のコンデンサ部の積層数が増加するほど、ＥＳＲ値は高くなっている。また、第２のコンデンサ部の積層数が同じ試料５、試料９、試料１０および試料１２を比較すると、第３および第４の引出し部数が２である試料５に対して、第３および第４の引出し部数が１である試料９、試料１０および試料１２の方が、ＥＳＲ値は高くなっている。また、試料９および試料１０では、試料１３よりもＥＳＲ値が高くなっている。これは、第１のコンデンサ部のＥＳＲ値と第２のコンデンサ部のＥＳＲ値とがともに試料１３のＥＳＲ値よりも高くなった結果、第１のコンデンサ部と第２のコンデンサ部とでは共振周波数が異なることによって、積層コンデンサのＥＳＲ値としても、試料１３のＥＳＲ値よりも高くなるためである。
【０１７２】
試料９および１０間で比較すると、ほぼ同じ程度のＥＳＲ値であり、積層配置状態が異なっても、第２のコンデンサ部の積層数が同じであれば、ＥＳＲ値はほとんど変化しない傾向にあることがわかる。
【図面の簡単な説明】
【０１７３】
【図１】この発明の第１の実施形態による積層コンデンサ１の外観を示す斜視図である。
【図２】図１に示した積層コンデンサ１の実装状態を示す断面図であり、積層コンデンサ１については、図３および図４の線ＩＩ−ＩＩに沿う断面をもって示している。
【図３】図２に示した第１のコンデンサ部１１の内部構造を示す平面図であり、（ａ）は、第１の内部電極１３が通る断面を示し、（ｂ）は、第２の内部電極１４が通る断面を示している。
【図４】図２に示した第２のコンデンサ部１２の内部構造を示す平面図であり、（ａ）は、第３の内部電極１５が通る断面を示し、（ｂ）は、第４の内部電極１６が通る断面を示している。
【図５】図１に示した積層コンデンサ１が与える等価回路を模式的に示す図である。
【図６】図１に示した積層コンデンサ１をデカップリングコンデンサとして用いているＭＰＵの回路構成を示す図である。
【図７】この発明の第２の実施形態による積層コンデンサ１ａを説明するための図４に対応する図である。
【図８】この発明の第３の実施形態による積層コンデンサ１ｂを説明するための図４に対応する図である。
【図９】この発明の第４の実施形態による積層コンデンサ１ｃを説明するためのもので、（ａ）および（ｂ）は、それぞれ、図３（ａ）および（ｂ）に対応し、（ｃ）および（ｄ）は、それぞれ、図４（ａ）および（ｂ）に対応している。
【図１０】この発明の第５の実施形態による積層コンデンサ１ｄを説明するためのもので、（ａ）および（ｂ）は、それぞれ、図３（ａ）および（ｂ）に対応し、（ｃ）および（ｄ）は、それぞれ、図４（ａ）および（ｂ）に対応している。
【図１１】この発明の第６の実施形態による積層コンデンサ１ｅを説明するための図３に対応する図である。
【図１２】この発明の第７の実施形態による積層コンデンサ１ｆを説明するための図４に対応する図である。
【図１３】この発明の第８の実施形態による積層コンデンサ１ｇを説明するための誘電体層９の平面図である。
【図１４】この発明の第９の実施形態による積層コンデンサ１ｈを説明するための図３に対応する図である。
【図１５】この発明の第１０の実施形態による積層コンデンサ１ｉを説明するための図４に対応する図である。
【図１６】この発明の第１１の実施形態による積層コンデンサ１ｊを説明するための図３に対応する図である。
【図１７】この発明の第１２の実施形態による積層コンデンサ１ｋを説明するための図４に対応する図である。
【図１８】この発明の第１３の実施形態による積層コンデンサ６１の外観を示す斜視図である。
【図１９】図１８に示した積層コンデンサ６１における第１および第２のコンデンサ部６２および６３の配置状態を図解的に示す側面図である。
【図２０】図１９に示した第１のコンデンサ部６２の内部構造を示す誘電体層７２の平面図であり、（ａ）は、第１の内部電極７３が通る断面を示し、（ｂ）は、第２の内部電極７４が通る断面を示している。
【図２１】図１９に示した第２のコンデンサ部６３の内部構造を示す誘電体層７２の平面図であり、（ａ）は、第３の内部電極７５が通る断面を示し、（ｂ）は、第４の内部電極７６が通る断面を示している。
【図２２】この発明の第１４の実施形態による積層コンデンサ６１ａを説明するための図１９に対応する図である。
【図２３】この発明の第１５の実施形態による積層コンデンサ６１ｂを説明するための図１９に対応する図である。
【図２４】この発明による効果を確認するために実施した実験例において採用された第１のコンデンサ部と第２のコンデンサ部とについての積層配置状態のいくつかの例を図解的に示す図である。
【図２５】上記実験例において作製された試料１１の第１のコンデンサ部における内部電極パターンを示す平面図である。
【図２６】上記実験例において作製された試料１１の第２のコンデンサ部における内部電極パターンを示す平面図である。
【図２７】この発明の第１６の実施形態による積層コンデンサ１ｍを説明するための図３に対応する図であり、上記実験例において作製された試料１２の第１のコンデンサ部における内部電極パターンを示す平面図である。
【図２８】この発明の第１６の実施形態による積層コンデンサ１ｍを説明するための図４に対応する図であり、上記実験例において作製された試料１２の第２のコンデンサ部における内部電極パターンを示す平面図である。
【図２９】上記実験例において作製された試料１３の第２のコンデンサ部における内部電極パターンを示す平面図である。
【符号の説明】
【０１７４】
１，１ａ，１ｂ，１ｃ，１ｄ，１ｅ，１ｆ，１ｇ，１ｈ，１ｉ，１ｊ，１ｋ，１ｍ，６１，６１ａ，６１ｂ  積層コンデンサ
２，３，６５，６６  主面
４〜７，６７〜７０  側面
８，７１  コンデンサ本体
９，７２  誘電体層
１１，６２  第１のコンデンサ部
１２，６３  第２のコンデンサ部
１３，７３  第１の内部電極
１４，７４  第２の内部電極
１５，７５  第３の内部電極
１６，７６  第４の内部電極
１７，７７  第１の引出し部
１８，７８  第２の引出し部
１９，７９  第１の外部端子電極
２０，８０  第２の外部端子電極
２１，８１  第３の引出し部
２２，８２  第４の引出し部
２５，６４  実装面
３１  第３の外部端子電極
３２  第４の外部端子電極